(57)【特許請求の範囲】
【請求項１】
内部に電子部品が収容された本体部と、
該本体部の前面に設けられ、記録媒体が挿入あるいは排出される開口を有する前面ベゼルと、
前記本体部の一部を覆うように形成された導電部材と、
を備えてなるディスク装置であって、
前記導電部材の前端に、前記前面ベゼルの開口を開閉するドア部材開閉駆動機構の左右側面側を支持する一対のブラケットと、前記一対のブラケット間で少なくとも前記開口を除く前面ベゼルの裏面を覆うように形成された前面アース部とを一体的に設けたことを特徴とするディスク装置。
【発明の詳細な説明】
【０００１】
【発明の属する技術分野】
本発明はディスク装置に係り、特にディスク状記録媒体またはディスク状記録媒体が収容されたカートリッジが前面ベゼルの開口を通過して挿入・イジェクトされるよう構成されたディスク装置に関する。
【０００２】
【従来の技術】
上記のように記録媒体が装着されて記録再生を行うディスク装置では、内部に電子部品が収容された本体部と、本体部の前面に設けられ、記録媒体が挿入あるいは排出される開口を有する前面ベゼルとを備えており、記録媒体が挿入・イジェクトされる際に操作者が静電気を帯びていると、装置内の記録媒体あるいは装置内の電子部品に静電気が放電されてしまい記録媒体あるいは装置内の電子部品が損傷するおそれがあった。
【０００３】
このような問題を解消するため、例えば、実開平５−７３７４２号公報にみられるようなディスク装置が提案されている。この公報に記載されたディスク装置は、装置本体と前面ベゼルとの間に導電性プレートを介在させ、この導電性プレートにアース線を接続させるように構成されている。
【０００４】
【発明が解決しようとする課題】
しかしながら、上記公報に記載されたディスク装置においては、装置本体と前面ベゼルとの間に設けられた導電性プレートをケーブルによりフレームグランドへアース接続する構成であるので、アース接続の作業に手間がかかり、組立工程での作業効率を高めることが難しいという問題があった。
そこで、本発明は上記課題を解決したディスク装置を提供することを目的とする。
【０００５】
【課題を解決するための手段】
上記課題を解決するため、本発明は以下のような特徴を有する。
本発明は、内部に電子部品が収容された本体部と、本体部の前面に設けられ、記録媒体が挿入あるいは排出される開口を有する前面ベゼルと、本体部の一部を覆うように形成された導電部材と、を備えてなるディスク装置であって、前記導電部材の前端に、前記前面ベゼルの開口を開閉するドア部材開閉駆動機構の左右側面側を支持する一対のブラケットと、前記一対のブラケット間で少なくとも前記開口を除く前面ベゼルの裏面を覆うように形成された前面アース部とを一体的に設けたものであり、装置内に装着された記録媒体及び装置内の電子部品が静電気による放電現象で破損することを防止できると共に、前面アース部と導電部材との間をケーブルで接続する作業が不要になり、その分組立工程での作業効率を高めることができる。
さらに、ドア部材開閉駆動機構の左右側面側を支持する一対のブラケットに前面アース部を一体的に設けたため、記録媒体が挿入あるいは排出される開口の全周に亘り前面アース部を形成することが可能になり、記録媒体の挿入または排出時に接触する指先より静電気が流入しても、ブラケットを介して静電気を除去できると共に、より部品点数を削減することが可能になる。
【０００６】
【発明の実施の形態】
次に、本発明の実施の形態を図面と共に説明する。
【０００７】
図１乃至図４は、本発明の一実施例であるディスク装置１０を示している。図１はディスク装置１０の分解斜視図であり、図２はディスク装置１０の平面図であり、図３はディスク装置１０の正面図であり、更に図４はディスク装置１０の側面図である。
【０００８】
本実施例に係るディスク装置１０は、８センチメートルの直径を有したＣＤ，ＣＤ−Ｒ，ＣＤ−ＲＷ，ＣＤ−ＲＯＭ，ＤＶＤ−ＲＯＭ，ＤＶＤ−ＲＡＭ等（以下、８ｃｍディスク１１（図１２乃至図１４参照）という）、１２センチメートルの直径を有したＣＤ，ＣＤ−Ｒ，ＣＤ−ＲＷ，ＣＤ−ＲＯＭ，ＤＶＤ−ＲＯＭ，ＤＶＤ−ＲＡＭ等（以下、これらのディスクを総称して１２ｃｍディスク１２（図１５乃至図１７参照）という）、ＤＶＤ−ＲＡＭ１４（ＤＶＤ）が装着されたディスクカートリッジ１３（図２０，２１参照）を装着し再生及び／または記録処理が行える、いわゆるコンパチブルなディスク装置である。
【０００９】
また、ディスク装置１０は、ディスク１１，１２及びディスクカートリッジ１３が同一の挿入口（開口）１３３（図４参照）から挿入されるスロットイン・コンパチブル方式の装着装置が搭載されている。
【００１０】
尚、８ｃｍディスク１１及び１２ｃｍディスク１２は、ディスク状記録媒体に相当するものであり、ディスクカートリッジに収容されることなくディスクそのままの状態でディスク装置１０に装着される。これに対し、記録媒体としてのＤＶＤ−ＲＡＭ１４（ＤＶＤ）が内部に収容されたディスクカートリッジ１３は、カートリッジに相当するものである。
【００１１】
ディスク装置１０は、大略するとベース２０，ホルダ４０，キャリアユニット７０，及びベースカバー１２０等により構成されており、これらが請求項記載の本体部に相当する。
ベース２０は、ベース本体２１にターンテーブル２４，ピックアップ２６，第１のディスクレバー駆動カム２８，及び第２のディスクレバー駆動カム２９等を配設した構成とされている。また、ベース２０の左右側面の前端側には、ホルダ４０の前端側の左右側面に当接してホルダ４０の前端を保持するための保持部２０ａが起立しており、ベース２０の左右側面の後端側には、ホルダ４０の後端側の左右側面に当接してホルダ４０の後端を保持すると共に、ホルダ４０の後端側の左右側面に突出する軸５７を軸承する軸受部２０ｂが起立している。
ベース本体２１は平板状の基板であり、第１の開口部２２及び第２の開口部２３が形成されている。第１の開口部２２には、これを横架するよう図中矢印Ｙ１，Ｙ２方向に平行に延在する２本のガイドシャフト２７が配設されており、この各ガイドシャフト２７は所定の距離だけ離間配置されている。
【００１２】
ピックアップ２６は、両側が各ガイドシャフト２７にガイドされ、ピックアップ駆動機構（図示せず）により図中矢印Ｙ１，Ｙ２方向（各ディスク１１，１２，１４の半径方向）に移動可能な構成とされている。このピックアップ２６は、再生及び／または記録処理が行なわれる位置（以下、この位置を再生／記録位置という）に搬送された装着状態の各ディスク１１，１２，１４に対してレーザ光を照射し、またその反射光を受光する構成とされている。これにより、ピックアップ２６は各ディスク１１，１２，１４に対して再生及び／または記録処理を行なう構成とされている。
【００１３】
ターンテーブル２４は、ベース本体２１に配設されたディスクモータ２５により所定回転数で回転する構成とされている。このターンテーブル２４は、各ディスク１１，１２，１４が再生／記録位置に搬送された際、後述するようにホルダ４０が移動することにより各ディスク１１，１２，１４のセンターホール１１ａ，１２ａ，１４ａと係合し、クランパ５８と協働して各ディスク１１，１２，１４をクランプする。よって、各ディスク１１，１２，１４は、ディスクモータ２５により所定回転数で回転する。
【００１４】
また、ベース本体２１の第２の開口部２３の下方には、ホルダ駆動スライダ３０が配設されている（図３参照）。このホルダ駆動スライダ３０は、図示しないスライドモータにより、図中矢印Ｘ１，Ｘ２方向に移動可能な構成とされている。また、ホルダ駆動スライダ３０の所定位置には、上下方向（図中矢印Ｚ１，Ｚ２方向）に延在するカム板部３１が配設されている。
このカム板部３１には長孔により形成された一対の斜めカム３２，３３が設けられている。この各斜めカム３２，３３は、図３に示すように、正面視した状態において略Ｚ字状の形状とされている。よって、ホルダ駆動スライダ３０がスライドモータにより図中矢印Ｘ１，Ｘ２方向に移動すると、これに伴い各斜めカム３２，３３も図中矢印Ｘ１，Ｘ２方向に移動する構成とされている。
【００１５】
また、第１及び第２のディスクレバー駆動カム２８，２９は、ベース本体２１に図中矢印Ｚ１方向に突出するよう形成された突起である（図１，図３，及び図４（Ａ）に詳しい）。この第１及び第２のディスクレバー駆動カム２８，２９は、後述するディスクレバー６０の配設位置と対応する位置に形成されている。尚、このディスクレバー６０は、後述するようにカートリッジ挿入検出手段を兼ねるように取り付けられている。
【００１６】
ホルダ４０は、ベース２０上に配設され、右レール５０，左レール５１，ベースカバー１２０，ディスクレバー６０及びキャリアユニット（搬送機構）７０が配設される。また、ホルダ４０は、後に詳述するようにベース２０上で回動軸５７を中心に揺動可能な構成とされている（図４参照）。
このホルダ４０は、金属板を折り曲げ形成することにより底板部４１，右側壁部４２，及び左側壁部４３を一体的に成形した構成とされている。底板部４１には、第１の開口部４４，第２の開口部４５，及び第３の開口部４９が形成されている。
【００１７】
第１の開口部４４は、前記したベース２０に設けられたターンテーブル２４の配設位置、及びピックアップ２６の移動位置を含んで形成されている。よって、ターンテーブル２４は第１の開口部４４を介して各ディスク１１，１２，１４を装着し、またピックアップ２６と各ディスク１１，１２，１４との間でレーザ光は第１の開口部４４を介して授受される。
【００１８】
第２の開口部４５は、その縁部に垂下部４６が配設されている。この垂下部４６は、底板部４１から下方（図中、矢印Ｚ２方向）に垂下するよう形成されている。また、この垂下部４６には、一対の従動ピン４７，４８が前方に突出するように配設されている。
この垂下部４６は、ホルダ４０をベース２０に組み付けた状態において、ベース２０に形成された第２の開口部２３からベース２０の下方に突出するよう構成されている。また、垂下部４６に配設された従動ピン４７，４８は、図３に示すように、ホルダ駆動スライダ３０に配設されたカム板部３１の斜めカム３２，３３に係合するよう構成されている。
【００１９】
従って、ディスク装置１０が図３に示す状態（図４（Ａ）に示す状態と同じ）からスライドモータが駆動し、ホルダ駆動スライダ３０が図中矢印Ｘ１方向に移動すると、これに伴い従動ピン４７は斜めカム３２内を、従動ピン４８は斜めカム３３内を相対的に下動する。これにより、前側に垂下部４６が設けられているホルダ４０は、後部両側に突出する回動軸５７を中心に図４における反時計方向に揺動する。そして、従動ピン４７，４８が斜めカム３２，３３の下端部に達した状態において、図４（Ｂ）に示すようにホルダ４０は、前端側が下方に傾斜した状態でベース２０と当接する。
【００２０】
また、図４（Ｂ）に示す状態（以下、この状態をホルダ４０の下動位置という）から、スライドモータが駆動してホルダ駆動スライダ３０が図中矢印Ｘ２方向に移動すると、これに伴い各従動ピン４７，４８は、各斜めカム３２，３３内を相対的に上動する。これにより、ホルダ４０は回動軸５７を中心に図４における時計方向に揺動し、そして従動ピン４７，４８が斜めカム３２，３３の上端部に達した状態において、図３及び図４（Ａ）に示すようにホルダ４０はベース２０から離間した状態（以下、この状態をホルダ４０の上動位置という）となる。
【００２１】
一方、第３の開口部４９は、前記したベース２０に設けられた第１及び第２のディスクレバー駆動カム２８，２９と対向する位置に形成されている。従って、ホルダ４０が下動位置に移動すると、第１及び第２のディスクレバー駆動カム２８，２９は、この第３の開口部４９を介して底板部４１の上部に突出するよう構成されている。
上記構成とされた底板部４１の右側部には右側壁部４２が、また左側部には左側壁部４３がそれぞれ形成されている。この各側壁部４２，４３の上部所定範囲は内側に向け直角に折り曲げられることにより鍔部５５，５６を形成している。従って、ホルダ４０の両側部は、図３に示すように正面視した状態において略コ字状の形状となっている。
【００２２】
この鍔部５５，５６を有した各側壁部４２，４３には、レール５０，５１が配設されている。具体的には、右側壁部４２には右レール５０が固定され、左側壁部４３には左レール５１が固定された構成とされている。この各レール５０，５１は樹脂成形されたものであり、ホルダ４０の両側壁部４２，４３に沿って図中矢印Ｙ１，Ｙ２方向に長く延在している。
また、各レール５０，５１の断面は、図３に示すように、略コ字形状とされている。後述するキャリアユニット７０は、このレール５０，５１にガイドされて図中矢印Ｙ１，Ｙ２方向に移動する構成とされている。また、左レール５１の内壁部分にはラックギヤ５２がキャリアユニット７０の移動範囲にわたり形成されている。
【００２３】
更に、右レール５０には右側壁部４２を含め図中矢印Ｘ１，Ｘ２方向に貫通するカートリッジレバー退避用開口５３が形成され、また左レール５１には左側壁部４３を含め図中矢印Ｘ１，Ｘ２方向に貫通するディスクレバー用開口６７が形成されている。尚、上記した各レール５０，５１はホルダ４０に強固に固定されており、ホルダ４０に対して変位するようなことはない。
【００２４】
ディスクレバー６０は、図１に示されるようにレバー本体部６１，回転軸６２，ディスク保持部６３，及び係合部６６を有した構成とされている。回転軸６２はレバー本体部６１の図１におけるＹ１方向端部に立設されており、この回転軸６２はホルダ４０の左側壁部４３に形成された軸受部６４に軸承される。前記したように、左レール５１及び左側壁部４３にはディスクレバー用開口６７が形成されているため、ディスクレバー６０はディスクレバー用開口６７内において回転軸６２を中心として回動自在な構成となる。
【００２５】
また、レバー本体部６１は平板形状とされており、ホルダ４０に装着された状態において底板部４１上に載置される。よって、ディスクレバー６０が回動することにより、レバー本体部６１は底板部４１上を摺動する。また、レバー本体部６１の所定位置には係合部６６が形成されており、この係合部６６はホルダ４０が下動位置に移動した際、ベース２０に設けられている第１または第２のディスクレバー駆動カム２８，２９と選択的に係合する構成とされている。
ディスク保持部６３は上下一対の爪片により構成されており、レバー本体部６１の図１における矢印Ｙ２方向端部に立設された部分に配設されている。このディスク保持部６３は、後述するように８ｃｍディスク１１或いは１２ｃｍディスク１２がディスク装置１０内に挿入され搬送される際、各ディスク１１，１２の挿入方向後部と係合しこれを保持する機能を奏する。
【００２６】
上記構成とされたディスクレバー６０は、図２に示すようにディスクレバー付勢バネ６５に接続されている。このディスクレバー付勢バネ６５は、矢印Ｙ１方向端部がホルダ４０に接続されており、矢印Ｙ２方向端部がディスクレバー６０に接続された構成とされている。このディスクレバー付勢バネ６５により、ディスクレバー６０は平面視した状態において回転軸６２を中心に反時計方向に回動付勢されている。
【００２７】
一方、ベースカバー１２０は両側部を鍔部５５，５６にネジ止めされることにより、ホルダ４０の上部に取り付けられる。このベースカバー１２０は、その中央部にクランパ５８が配設されている。このクランパ５８の配設位置は、ベース２０に設けられたターンテーブル２４の配設位置と対応するよう構成されている。
このクランパ５８は、図４（Ａ）に示すようにホルダ４０が上動位置にある場合には、ターンテーブル２４と離間しており各ディスク１１，１２及びディスクカートリッジ１３のホルダ４０内への装着を許容する状態となっている。また、各ディスク１１，１２及びディスクカートリッジ１３のホルダ４０内への搬送に伴い、ホルダ４０が図４（Ｂ）に示す下動位置に移動すると、相対的にクランパ５８はターンテーブル２４に近接する。
【００２８】
図４（Ａ）（Ｂ）に示されるように、前面ベゼル１３０には、ディスク１１，１２及びディスクカートリッジ１３を挿入するための挿入口１３３が開口している。この挿入口１３３は、カートリッジ挿入前の状態で上下方向に２分割されたドア部材（開閉部材）１３１，１３２により閉塞されている（図４（Ｂ）参照）。ドア部材１３１，１３２はディスクカートリッジ１３を挿入する際に内側に回動する（図４（Ａ）参照）。
【００２９】
そして、挿入口１３３に挿入されたディスク１１，１２またはディスクカートリッジ１３は、キャリアユニット７０によって装置内部に搬送される。そして、搬送が完了した時点において、各ディスク１１，１２，１４はクランパ５８とターンテーブル２４との間でクランプされる。この際、クランパ５８にはクランプ用マグネットが配設されており、ターンテーブル２４にはクランプ用ヨークが配設されている。よって、クランプ用マグネットが磁力により吸着することにより、各ディスク１１，１２，１４は、クランパ５８とターンテーブル２４との間で確実にクランプされる。
【００３０】
続いて、キャリアユニット７０について説明する。
キャリアユニット７０は、各ディスク１１，１２及びディスクカートリッジ１３を保持する構成とされており、前記したホルダ４０に図中矢印Ｙ１，Ｙ２方向に移動可能に配設されるものである。従って、各ディスク１１，１２及びディスクカートリッジ１３を保持した状態でキャリアユニット７０が図中矢印Ｙ１方向に移動することにより、各ディスク１１，１２及びディスクカートリッジ１３は挿入方向に搬送される。また、各ディスク１１，１２及びディスクカートリッジ１３を保持した状態でキャリアユニット７０が図中矢印Ｙ２方向に移動することにより、各ディスク１１，１２及びディスクカートリッジ１３は排出方向に搬送される。
図５に示すように、キャリアユニット７０は上部半体７１，右下部半体７２，左下部半体７３，クリップディスク７４（７４−１〜７４−４），カートリッジレバー７７，及びシャッタレバー７８等により構成されている。
【００３１】
各半体７１〜７３は樹脂成形されたものであり、協働してキャリア本体を構成する。上部半体７１は、右部７１ａと左部７１ｂが連通部７１ｃにより連結された構成とされている。右部７１ａの上面には第１のクリップディスク７４−１が配設される装着凹部９１が形成されており、左部７１ｂには第３のクリップディスク７４−３が配設される装着凹部９０が形成されている。
【００３２】
また、右部７１ａの右側部近傍には、図中矢印Ｙ１，Ｙ２方向に延在するカートリッジレバー案内溝１０３が形成されている。このカートリッジレバー案内溝１０３には、カートリッジレバー７７の軸部１０５が移動可能に係合する。このカートリッジレバー７７は、ディスクカートリッジ１３の搬送を行う際に用いられるものであるが、説明の便宜上その詳細については後述するものとする。
【００３３】
また、右部７１ａの上面には軸孔１１７が形成されており、シャッタレバー７８はこの軸孔１１７に装着される。シャッタレバー７８は、ディスクカートリッジ１３がディスク装置１０に挿入される際、ディスクカートリッジ１３に設けられているシャッタ１５を開閉する機能を奏するものである。
【００３４】
このシャッタレバー７８は、板状のレバー本体１０９の一端部近傍に下方に向け突出した軸部１１０が形成されており、この軸部１１０が軸孔１１７に回動自在に挿通されることにより上部半体７１に装着される。
【００３５】
また、レバー本体１０９の他端部近傍には、レバー本体１０９の長手方向に延在する長孔１１２が形成されている。そして、この長孔１１２には、シャッタ駆動ピン１１３が移動可能に配設されている。このシャッタ駆動ピン１１３は、図３に示すようにレバー本体１０９より下方に向け突出しており、ディスクカートリッジ１３に設けられているシャッタ（図示せず）と係合するよう構成されている。
【００３６】
そして、シャッタ駆動ピン１１３は、ディスクカートリッジ１３のシャッタ開閉動作時の負荷を軽減するように長孔１１２に対して低摩擦で摺動できるように設けられている。さらに、シャッタ駆動ピン１１３は、シャッタレバー７８の長孔１１２に摺動可能に挿通されると共に、上端がベースカバー１２０に設けられたスリット１２６に摺動可能に挿通されており、スリット１２６を摺動することによりディスクカートリッジ１３のシャッタ（図示せず）を開閉させるように回動することができる。尚、シャッタ駆動ピン１１３は、ディスク装着時はシャッタ復帰バネのバネ力が作用しないため、比較的バネ力の弱い復帰用のトーションバネ１１３ａによりイジェクト方向に移動する。
【００３７】
また、シャッタ駆動ピン１１３は、図１に示されるベースカバー１２０に形成されたスリット１２６に係合したまま移動するよう構成されている。よって、ディスクカートリッジ１３がディスク装置１０に対し挿入／排出される際、シャッタレバー７８の回動に伴いシャッタ駆動ピン１１３が長孔１１２及びスリット１２６に位置規制されて移動することによりシャッタ（図示せず）は開閉される。
【００３８】
続いて、キャリアユニット７０に配設される第１乃至第４のクリップディスク７４（７４−１〜７４−４）について図６（Ａ）（Ｂ）、図７（Ａ）（Ｂ）を参照して説明する。
【００３９】
尚、本実施例では、合計４個のクリップディスク７４（７４−１〜７４−４）が配設されているが、この各クリップディスク７４−１〜７４−４は同一構成とされている。よって、以下の説明において、第１乃至第４のクリップディスク７４−１〜７４−４を特定しないで説明する場合には、クリップディスク７４と総称して説明するものとする。
【００４０】
図６（Ａ）（Ｂ）及び図７（Ａ）（Ｂ）に示されるように、クリップディスク７４は、バネ性を有した樹脂材料により形成されており、固定部８５及び一対の舌片部８６とにより構成されている。固定部８５には、ネジ８７ａが挿通される挿通孔８５ａが形成されている。このネジ８７ａは、挿通孔８５ａを挿通して右部７１ａ，左部７１ｂ，右下部半体７２，左下部半体７３より突出する支持部８７ｂに螺着される。これにより、各クリップディスク７４はキャリアユニット７０に固定される。
【００４１】
また、一対の舌片部８６は、固定部８５の両側部より折り曲げられることにより、固定部８５に対して斜め前方に延出した構成とされている。従って、クリップディスク７４は側面視した状態で略Ｖ字状を有した形状となる。更に、各舌片部８６の先端部には、当接部８８が突出形成されている。
【００４２】
図５に示されるように、第１のクリップディスク７４−１は、装着凹部９１に右部７１ａの上部から配設される。この時、第１のクリップディスク７４−１の舌片部８６は、下部に位置するよう取り付けられる。また、装着凹部９１の舌片部８６と対向する位置には開口部９２が形成されており、舌片部８６はこの開口部９２を介してディスク対向面９３に突出するよう構成されている。
【００４３】
また、第２のクリップディスク７４−２は、右下部半体７２に形成された装着凹部（図に現れず）に下部から配設される。この時、第２のクリップディスク７４−２の舌片部８６は、上部に位置するよう取り付けられる。また、装着凹部の舌片部８６と対向する位置には開口部９２が形成されており、舌片部８６はこの開口部９２を介してディスク対向面９３に突出するよう構成されている。
【００４４】
この際、第１のクリップディスク７４−１と第２のクリップディスク７４−２との配設位置は、互いに対向するよう設定されている。具体的には、図７（Ａ）に示すように、第１のクリップディスク７４−１と第２のクリップディスク７４−２は互いの舌片部８６が対抗するよう配設され、かつ配設状態において各舌片部８６の先端部に形成された当接部８８が舌片部８６のバネ力を持って当接するよう構成されている。この際、各舌片部８６は、各ディスク１１，１２の挿入方向（図中矢印Ｙ１方向）に向け漸次近接することにより当接部８８同士が当接する構成とされている。
【００４５】
上記構成において、キャリアユニット７０に８ｃｍディスク１１或いは１２ｃｍディスク１２が挿入されると、ディスク１１，１２は第１のクリップディスク７４−１と第２のクリップディスク７４−２との間に挿入される。そして、図７（Ｂ）に示すように、ディスク１１，１２の挿入方向右先端部は、第１のクリップディスク７４−１の当接部８８と第２のクリップディスク７４−２の当接部８８との間に挟持（クランプ）される。これによりディスク１１，１２は、第１及び第２のクリップディスク７４−１，７４−２により保持された状態となる。
【００４６】
また、第３のクリップディスク７４−３は、装着凹部９０に左部７１ｂの上部から配設される。この時、第３のクリップディスク７４−３の舌片部８６は、下部に位置するよう取り付けられる。また、装着凹部９０の舌片部８６と対向する位置には開口部９２が形成されており、舌片部８６はこの開口部９２を介してディスク対向面９３に突出するよう構成されている。
【００４７】
また、第３のクリップディスク７４−３と対抗する位置には、第４のクリップディスク７４−４が配設されている。よって、上記第１及び第２のクリップディスク７４−１，７４−２と同様に、第３のクリップディスク７４−３と第４のクリップディスク７４−４は互いの舌片部８６が対抗するよう配設され、かつ配設状態において各舌片部８６の先端部に形成された当接部８８が舌片部８６のバネ力を持って当接するよう構成されている。
【００４８】
従って、キャリアユニット７０に８ｃｍディスク１１或いは１２ｃｍディスク１２が挿入されると、ディスク１１，１２は第３のクリップディスク７４−３と第４のクリップディスク７４−４との間に挿入される。そして、図７（Ｂ）に示すように、ディスク１１，１２の挿入方向左先端部は、第３のクリップディスク７４−３の当接部８８と第４のクリップディスク７４−４の当接部８８との間に挟持（クランプ）される。これによりディスク１１，１２は、第３及び第４のクリップディスク７４−３，７４−４により保持された状態となる。
【００４９】
このように、８ｃｍディスク１１或いは１２ｃｍディスク１２は、左右先端部が第１及び第２のクリップディスク７４−１，７４−２と第３及び第４のクリップディスク７４−３，７４−４とによりクランプされる。
【００５０】
一方、右下部半体７２は、上部半体７１を構成する右部７１ａの下部に配設されるものである。この右下部半体７２右側部近傍には、図中矢印Ｙ１，Ｙ２方向に延在するカートリッジレバー案内溝１０４が形成されている。このカートリッジレバー案内溝１０４には、カートリッジレバー７７の下部に位置する軸部１０５（図に現れず）が移動可能に係合する。
【００５１】
従って、右下部半体７２が上部半体７１に固定された状態において、カートリッジレバー７７の上下に突出した軸部１０５はカートリッジレバー案内溝１０３，１０４に移動可能でかつ回動可能に係合する。即ち、カートリッジレバー７７は、カートリッジレバー案内溝１０３，１０４の形成範囲にわたり、各ディスク１１，１２，１４の挿入脱方向（図中矢印Ｙ１，Ｙ２方向）に移動可能な構成となっており、かつカートリッジレバー７７は軸部１０５を中心として回動可能な構成となっている。
【００５２】
このカートリッジレバー７７には、カートリッジレバー付勢バネ１０８が配設されている。このカートリッジレバー付勢バネ１０８の一端部は、カートリッジレバー７７に形成されたバネ掛け部１０７に掛止されており、他端部は右下部半体７２の所定位置に掛止されている。これにより、カートリッジレバー７７は、軸部１０５を中心として図２における時計方向に回動付勢されている。
【００５３】
また、右下部半体７２には、ディスク対向面９３が形成されており、このディスク対向面９３の外周位置には、８ｃｍディスク用湾曲壁９４及び１２ｃｍディスク用湾曲壁９５が立設されている。８ｃｍディスク用湾曲壁９４は半径４ｃｍの曲率を有しており、また１２ｃｍディスク用湾曲壁９５は半径６ｃｍの曲率を有している。
【００５４】
そして、８ｃｍディスク１１がキャリアユニット７０に挿入された際、８ｃｍディスク１１の挿入方向の先端部分は、８ｃｍディスク用湾曲壁９４に当接し、また１２ｃｍディスク１２がキャリアユニット７０に装着された際、１２ｃｍディスク１２の挿入方向の先端部分は１２ｃｍディスク用湾曲壁９５に当接する。前記したように、各ディスク用湾曲壁９４，９５は、装着される各ディスク１１，１２の半径に対応した曲率を有した構成とされており、また曲率の大きな１２ｃｍディスク用湾曲壁９５に対し、曲率の小さな８ｃｍディスク用湾曲壁９４は図中矢印Ｙ１方向側に配置されている。
尚、上記構成とされた８ｃｍディスク用湾曲壁９４及び１２ｃｍディスク用湾曲壁９５は、右部７１ａ，左部７１ｂ及び左下部半体７３にも設けられている（右部７１ａ及び左部７１ｂに形成された各ディスク用湾曲壁９４，９５は図に現れず）。
【００５５】
従って、８ｃｍディスク１１がキャリアユニット７０に挿入された際、８ｃｍディスク１１は８ｃｍディスク用湾曲壁９４に当接する。８ｃｍディスク用湾曲壁９４は８ｃｍディスク１１の外周と対応した形状とされているため、単に８ｃｍディスク１１を８ｃｍディスク用湾曲壁９４に押し当てるだけで、キャリアユニット７０に対する８ｃｍディスク１１の位置決めを行うことができる（図７（Ａ）（Ｂ）及び図１０（Ａ）（Ｂ）参照）。
【００５６】
同様に、１２ｃｍディスク１２がキャリアユニット７０に挿入された際、１２ｃｍディスク１２は８ｃｍディスク用湾曲壁９４に当接することなく１２ｃｍディスク用湾曲壁９５に当接する。従って、単に１２ｃｍディスク１２を１２ｃｍディスク用湾曲壁９５に押し当てるだけで、キャリアユニット７０に対する１２ｃｍディスク１２の位置決めを行うことができる（図７（Ａ）（Ｂ）及び図１０（Ａ）（Ｂ）参照）。
【００５７】
図８（Ａ）（Ｂ）に示されるように、ディスク対向面９３は、各ディスク用湾曲壁９４，９５から図中矢印Ｙ２方向に進むにつれて傾斜する傾斜面とされている。よって、各ディスク１１，１２をキャリアユニット７０に装着する際、各ディスク１１，１２はディスク対向面９３に案内されてディスク用湾曲壁９４，９５に押し当てられることとなり、これによっても各ディスク１１，１２のキャリアユニット７０に対する位置決め処理を容易に行うことができる。
【００５８】
更に、ディスクカートリッジ１３がディスク装置１０に挿入された場合には、図１０（Ｂ）に示すように、ディスクカートリッジ１３の先端部がキャリアユニット７０の前面８９に当接することにより、キャリアユニット７０に対するディスクカートリッジ１３の位置決めが行なわれるよう構成されている。また、右下部半体７２にはディスクカートリッジ検出用スイッチ９８が配設されており、その接触部９９は前面８９から突出するよう構成されている（図１０（Ａ）（Ｂ）参照）。よって、ディスクカートリッジ１３がキャリアユニット７０と当接する位置まで挿入されたことは、ディスクカートリッジ検出用スイッチ９８の出力により検知することができる。
【００５９】
一方、左下部半体７３には、ローディングモータ１００及びギヤ群１０１が配設されている。ローディングモータ１００はギヤ群１０１と噛合することにより、ギヤ群１０１を駆動する構成とされている。また、ギヤ群１０１の最外部に位置するギヤ１０２は、左下部半体７３から外部に突出するよう構成されている。このギヤ１０２は、キャリアユニット７０がホルダ４０に取り付けられた状態において、ホルダ４０に配設された左レール５１に形成されたラックギヤ５２と噛合するよう構成されている。
従って、ローディングモータ１００が駆動し、ラックギヤ５２と噛合したギヤ１０２がギヤ群１０１を介して回動することにより、キャリアユニット７０はホルダ４０内で図中矢印Ｙ１方向（挿入方向）及び図中矢印Ｙ２方向（排出方向）に移動する。また、各ディスク１１，１２及びディスクカートリッジ１３をキャリアユニット７０が保持した状態でローディングモータ１００が駆動することにより、キャリアユニット７０と共に各ディスク１１，１２及びディスクカートリッジ１３も図中矢印Ｙ１方向（挿入方向）及び図中矢印Ｙ２方向（排出方向）に搬送される。
【００６０】
また、前記したように左下部半体７３にも８ｃｍディスク用湾曲壁９４及び１２ｃｍディスク用湾曲壁９５が設けられているが、図８（Ａ）（Ｂ）に示すように、この８ｃｍディスク用湾曲壁９４には８ｃｍディスク検出用スイッチ９６が、また１２ｃｍディスク用湾曲壁９５には１２ｃｍディスク検出用スイッチ９７が配設されている。
そして、８ｃｍディスク検出用スイッチ９６は８ｃｍディスク１１がキャリアユニット７０内の所定装着位置（８ｃｍディスク用湾曲壁９４と当接する位置）に挿入されることにより、また１２ｃｍディスク検出用スイッチ９７は１２ｃｍディスク１２がキャリアユニット７０内の所定装着位置（１２ｃｍディスク用湾曲壁９５と当接する位置）に挿入されることにより信号を出力する構成とされている。よって、各ディスク検出用スイッチ９６，９７からの出力から、各ディスク１１，１２がキャリアユニット７０内の所定装着位置に装着されたことを検知することができる。
【００６１】
続いて、キャリアユニット７０に配設される第１乃至第４のクリップディスク７４（７４−１〜７４−４）について説明する。尚、本実施例では合計４個のクリップディスク７４（７４−１〜７４−４）が配設されているが、この各クリップディスク７４−１〜７４−４は同一構成とされている。よって以下の説明において、第１乃至第４のクリップディスク７４−１〜７４−４を特定しないで説明する場合には、クリップディスク７４と総称して説明するものとする。
【００６２】
クリップディスク７４はバネ性を有した樹脂材料により形成されており、固定部８５及び一対の舌片部８６とにより構成されている。固定部８５には図示しないネジが挿通される挿通孔８５ａが形成されている。この図示しないネジは、挿通孔８５ａを挿通して右部７１ａ，左部７１ｂ，右下部半体７２，左下部半体７３に螺着される。これにより、各クリップディスク７４はキャリアユニット７０に固定される。
【００６３】
また、一対の舌片部８６は、固定部８５の両側部より折り曲げられることにより、固定部８５に対して斜め前方に延出した構成とされている。従って、クリップディスク７４は側面視した状態で略Ｖ字状を有した形状となる。更に、各舌片部８６の先端部には、当接部８８が突出形成されている。
【００６４】
図５に示されるように、第１のクリップディスク７４−１は、装着凹部９１に右部７１ａの上部から配設される。この時、第１のクリップディスク７４−１の舌片部８６は、下部に位置するよう取り付けられる。また、装着凹部９１の舌片部８６と対向する位置には開口部９２が形成されており、舌片部８６はこの開口部９２を介してディスク対向面９３に突出するよう構成されている。
【００６５】
また、第２のクリップディスク７４−２は、右下部半体７２に形成された装着凹部（図に現れず）に下部から配設される。この時、第２のクリップディスク７４−２の舌片部８６は、上部に位置するよう取り付けられる。また、装着凹部の舌片部８６と対向する位置には開口部９２が形成されており、舌片部８６はこの開口部９２を介してディスク対向面９３に突出するよう構成されている。
【００６６】
この際、第１のクリップディスク７４−１と第２のクリップディスク７４−２との配設位置は、互いに対向するよう設定されている。具体的には、図７（Ａ）に示すように、第１のクリップディスク７４−１と第２のクリップディスク７４−２は互いの舌片部８６が対抗するよう配設され、かつ配設状態において各舌片部８６の先端部に形成された当接部８８が舌片部８６のバネ力を持って当接するよう構成されている。この際、各舌片部８６は、各ディスク１１，１２の挿入方向（図中矢印Ｙ１方向）に向け漸次近接することにより当接部８８同士が当接する構成とされている。
【００６７】
上記構成において、キャリアユニット７０に８ｃｍディスク１１或いは１２ｃｍディスク１２が挿入されると、ディスク１１，１２は第１のクリップディスク７４−１と第２のクリップディスク７４−２との間に挿入される。そして、図７（Ｂ）に示すように、ディスク１１，１２の挿入方向右先端部は、第１のクリップディスク７４−１の当接部８８と第２のクリップディスク７４−２の当接部８８との間に挟持（クランプ）される。これによりディスク１１，１２は、第１及び第２のクリップディスク７４−１，７４−２により保持された状態となる。
【００６８】
また、第３のクリップディスク７４−３は、装着凹部９０に左部７１ｂの上部から配設される。この時、第３のクリップディスク７４−３の舌片部８６は、下部に位置するよう取り付けられる。また、装着凹部９０の舌片部８６と対向する位置には開口部９２が形成されており、舌片部８６はこの開口部９２を介してディスク対向面９３に突出するよう構成されている。
【００６９】
また、第３のクリップディスク７４−３と対抗する位置には、第４のクリップディスク７４−４が配設されている。よって、上記第１及び第２のクリップディスク７４−１，７４−２と同様に、第３のクリップディスク７４−３と第４のクリップディスク７４−４は互いの舌片部８６が対抗するよう配設され、かつ配設状態において各舌片部８６の先端部に形成された当接部８８が舌片部８６のバネ力を持って当接するよう構成されている。
【００７０】
従って、キャリアユニット７０に８ｃｍディスク１１或いは１２ｃｍディスク１２が挿入されると、ディスク１１，１２は第３のクリップディスク７４−３と第４のクリップディスク７４−４との間に挿入される。そして、図７（Ｂ）に示すように、ディスク１１，１２の挿入方向左先端部は、第３のクリップディスク７４−３の当接部８８と第４のクリップディスク７４−４の当接部８８との間に挟持（クランプ）される。これによりディスク１１，１２は、第３及び第４のクリップディスク７４−３，７４−４により保持された状態となる。
【００７１】
このように、８ｃｍディスク１１或いは１２ｃｍディスク１２は、左右先端部が第１及び第２のクリップディスク７４−１，７４−２と第３及び第４のクリップディスク７４−３，７４−４とによりクランプされる。
【００７２】
ここで、図１１を参照して、キャリアユニット７０がイジェクト位置Ｐ１（キャリアユニット７０の後端がイジェクト動作後に停止する位置：図２参照）から８Ｌ開始位置Ｐ２（キャリアユニット７０の後端が直径８ｃｍのディスクが挿入された場合の装着開始位置：図２参照）まで移動する間の、ディスクレバー６０の動作について説明する。
図１１は、キャリアユニット７０及びディスクレバー６０を裏側から見た底面図であり、（Ａ）はキャリアユニット７０がイジェクト位置Ｐ１に位置した状態を示し、（Ｂ）はキャリアユニット７０がイジェクト位置Ｐ１と８Ｌ開始位置Ｐ２の間に位置した状態を示し、（Ｃ）はキャリアユニット７０が８Ｌ開始位置Ｐ２に位置した状態を示している。
【００７３】
キャリアユニット７０がイジェクト位置Ｐ１から８Ｌ開始位置Ｐ２まで移動することにより、キャリアユニット７０の裏面に形成された段差状のカム部Ｎ１が図中矢印Ｙ１方向に移動する。これにより、ディスクレバー６０は、図１１（Ｃ）に示すようにディスクレバー付勢バネ６５の付勢力によりレバー本体部６１が段差状のカム部Ｎ１に摺接しつつ反時計方向に回動し、ディスクレバー６０に形成されているディスク保持部６３は８ｃｍディスク１１の挿入方向後部に係合する。
【００７４】
ディスクレバー６０は、レバー本体部６１が段差状のカム部Ｎ１から離間すると、ディスクレバー付勢バネ６５の付勢力により、８ｃｍディスク１１の挿入方向後部をディスク挿入方向に押圧する。
【００７５】
これにより、８ｃｍディスク１１は、その挿入方向前部をクリップディスク７４に保持されると共に、挿入方向後部をディスクレバー６０により保持された構成となる。このように、本実施例では８ｃｍディスク１１の挿入方向前部及び挿入方向後部の双方を保持することにより、カートリッジに装着されていない構成の８ｃｍディスク１１であっても、この８ｃｍディスク１１がキャリアユニット７０から離脱することを防止でき、安定した搬送処理を行うことが可能となる。
【００７６】
また、レバー本体部６１は、キャリアユニット７０の裏面に形成された段差状のカム部Ｎ１により回動動作時期を調整されており、ディスク保持部６３は８ｃｍディスク１１の最大直径部位（矢印Ｘ１，Ｘ２方向に対する最大径部位。即ち、中央位置）が図中矢印Ｙ１方向に通過した後に初めて、８ｃｍディスク１１の挿入方向後部に当接するよう構成されている。これにより、ディスク挿入負荷の軽減を図ることができる。
【００７７】
一方、カートリッジレバー７７は、キャリアユニット７０がイジェクト位置Ｐ１から８Ｌ開始位置Ｐ２に移動することにより、カートリッジレバー付勢バネ１０８に付勢されて軸部１０５がカートリッジレバー案内溝１０３，１０４内を図中矢印Ｙ２方向に移動する。即ち、カートリッジレバー７７は、キャリアユニット７０に対しては図中矢印Ｙ２方向に相対的に移動する。
【００７８】
しかしながら、上記イジェクト位置Ｐ１から８Ｌ開始位置Ｐ２までの移動過程では、カートリッジレバー７７の係合爪１０６はカートリッジレバー退避用カム５４と当接した状態を維持しており、よってホルダ４０に対するカートリッジレバー７７の位置は変化していない。
【００７９】
ここで、ディスク装置１０の前面に取り付けられる前面ベゼル１３０及び挿入口１３３を開閉するドア部材１３１，１３２について説明する。
図１２に示されるように、前面ベゼル１３０には、イヤホンジャック１３４ａ、ボリュームスイッチ１３４ｂ、ＬＥＤ（発光ダイオード）１３４ｃ、イジェクト釦１３４ｄ、ディスク１１，１２及びディスクカートリッジ１３を挿入するための挿入口１３３が設けられている。この挿入口１３３の高さ及び横幅寸法は、ディスクカートリッジ１３が通過できる寸法に形成されている。そして、挿入口１３３は、カートリッジ挿入前の状態で上下方向に２分割されたドア部材１３１，１３２により閉塞されている。
【００８０】
ドア部材１３１，１３２は、両端が回動可能に支持されており、ディスクカートリッジ１３が挿入またはイジェクトされる際にドア部材１３１は上方に回動し、ドア部材１３２は下方に回動する。尚、ドア部材１３１，１３２は、ディスクカートリッジ１３が挿入されるときはディスクカートリッジ１３に押圧されて装置内側に回動するが、イジェクト時は開閉機構（図示せず）により開動作するようになっている。
また、ドア部材１３１，１３２は、挿入口１３３の中央に位置する凹部１３１ａ，１３２ａを有する。この凹部１３１ａ，１３２ａは、ドア部材１３１，１３２が閉蓋位置にあるとき、互いに突き合わされ、挿入口１３３を介して装置内外を連通するためのスリット（隙間）１３５を形成する。このスリット１３５は、ディスク１１，１２を装置内に挿入するための開口となる。
【００８１】
図１３に示されるように、ドア部材１３１，１３２は、裏面（装置内側）に凹部１３１ａ，１３２ａを塞ぐ弾性部材１３６，１３７が貼着されている。この弾性部材１３６，１３７は、例えばフエルト材などの弾性を有する素材により形成されており、ディスク１１，１２の挿入操作により内側に撓むことができる。また、イジェクト時には、ディスク１１，１２のイジェクト動作により外側に撓むことができる。尚、弾性部材１３６，１３７は、フエルト材以外の弾性材（例えば、ゴム材など）により形成することもできる。
【００８２】
図１４に示されるように、ディスクカートリッジ１３が挿入されるときは、ドア部材１３１，１３２が開放方向に回動してディスクカートリッジ１３の挿入操作を許容する。そのため、ディスクカートリッジ１３は、挿入口１３３にガイドされて挿入口１３３の中央を通過するため、スムーズに挿入できると共に、前述したキャリアユニット７０のカートリッジレバー７７に確実に係止されて装置内に搬送される。
図１５に示されるように、ディスク１１，１２を挿入する際は、ドア部材１３１，１３２間に形成されたスリット１３５に挿入することにより、弾性部材１３６，１３７がディスク１１，１２の周縁部に押圧されて装置内側に撓む。その際、ディスク１１，１２は、上下面が弾性変形した弾性部材１３６，１３７によって挟持されながら装置内に挿入されるため、挿入口１３３の中央を通過するように弾性部材１３６，１３７によってガイドされながら挿入される。
【００８３】
従って、ディスク１１，１２は、ディスクカートリッジ１３と同様に挿入口１３３の中央を通過して挿入されるため、前述したキャリアユニット７０のクリップディスク７４によって確実に保持されて装置内に搬送される。
尚、本実施例では、ドア部材１３１，１３２が２部材により形成されているが、これに限らず、１部材により挿入口１３３を開閉する構成としても良いのは勿論である。
【００８４】
続いて、上記ドア部材１３１，１３２が挿入口１３３を開とする位置または挿入口１３３を閉じる位置に駆動するためのドア部材開閉駆動機構１４０について説明する。
【００８５】
図１６はドア部材開閉駆動機構１４０が設けられた前面ベゼル１３０の背面図である。図１７は図１６中Ａ−Ａ線に沿う縦断面図である。図１８はドア部材開閉駆動機構１４０を側方からみた側面図である。
【００８６】
図１６乃至図１８に示されるように、ドア部材開閉駆動機構１４０は、前面ベゼル１３０の背面側の右側に配設されている。このドア部材開閉駆動機構１４０は、前面ベゼル１３０の背面右側に突出するブラケット１４１と、ブラケット１４１に対して上下方向に摺動可能に支持されたスライド部材１４２と、スライド部材１４２を下方に付勢するコイルバネ１４３と、スライド部材１４２の上端に突出する軸１４２ｄに回動可能に支持されディスクレバー６０の先端部に当接する回動部材１４４と、回動部材１４４を図１７においてＡ方向（ディスクレバー６０の端部と離間する方向）に付勢するトーションバネ１４５とから構成されている。
【００８７】
スライド部材１４２は、ドア部材１３１，１３２の端部より突出する偏心ピン１３１ａ，１３２ａが係合する係合部１４２ａ，１４２ｂと、コイルバネ１４３が掛止される掛止部１４２ｃと、回動部材１４４を回動自在に支持する軸１４２ｄと、トーションバネ１４５を支持する突出ピン１４２ｅとを有する。尚、コイルバネ１４３の他端は、前面ベゼル１３０の裏面下側に突出する掛止部１３０ａに掛止されており、スライド部材１４２を下方に付勢している。
【００８８】
ドア部材１３１，１３２は、軸１３１ｂ，１３２ｂと、この軸１３１ｂ，１３２ｂに対して偏心位置に突出する偏心ピン１３１ａ，１３２ａと有する。そして、軸１３１ｂ，１３２ｂは、前面ベゼル１３０の裏面に突出する軸受部１３０ｂ，１３０ｃに回動可能に支持されており、ドア部材１３１，１３２は偏心ピン１３１ａ，１３２ａが係合部１４２ａ，１４２ｂに係合した状態でスライド部材１４２の上昇動作により同方向に押圧されると、装置内側に回動する。これにより、前面ベゼル１３０の挿入口１３３は、開放され、ディスクカートリッジ１３の排出が可能になる。
【００８９】
また、回動部材１４４は、略三角形状に形成されており、トーションバネ１４５の一端が貫通孔１４４ｂに挿入し付勢しているので、先端突部１４４ａが水平方向に延在するようにＡ方向に回動している。ディスク挿入前の状態において、この回動部材１４４の上方には、前述したディスクレバー６０の先端に設けられたディスク保持部６３の突出部６３ａが位置している（図２１参照）。
【００９０】
ここで、本発明の要部を構成するロアベース１５０について説明する。
ロアベース１５０は、導電材からなるグランドベースであり、ディスク装置１０の底面を形成している。また、前面ベゼル１３０の裏面には、ロアベース１５０と一体に形成された前面アース１５０ａが密着するように垂立しており、挿入口１３３の周囲を囲むように延在形成されている。そのため、前面アース１５０ａは前面ベゼル１３０の前方より操作者の指が接近した場合、操作者の静電気をロアベース１５０へ逃がすことができる。そのため、例えば、前面ベゼル１３０の挿入口１３３から静電気が装置内部に放電されることを防止して装置内の記録媒体及び電子部品を保護できる。
【００９１】
図１９はロアベース１５０の構成を説明するための図であり、（Ａ）は平面図、（Ｂ）は側面図、（Ｃ）は正面図である。
図１９（Ａ）〜（Ｃ）に示されるように、ロアベース１５０は、導電材からなる板金をプレス加工により所定の形状に曲げ加工したものであり、前面に起立し前面ベゼル１３０の裏面を覆うように形成された前面アース１５０ａと、底板１５０ｂと、側板１５０ｃ，１５０ｄと、背板１５０ｅとを有する。
【００９２】
底板１５０ｂには、ターンテーブル２４及びピックアップ２６が搭載されたベース２０を支持するための支持部１５０ｆが４箇所に持ち上げられている。また、前面アース１５０ａは、前面ベゼル１３０の挿入口１３３を除く範囲を覆うように形成されており、左右側面に折り曲げられた一対のブラケット１４１が内側に突出している。また、一対のブラケット１４１の上端間は、左右方向に延在形成された横架部１５０ｇにより連結されている。
【００９３】
このように、前面アース１５０ａは、ロアベース１５０と一体に形成されているため、ケーブルなどを介して電気的に接続するといった面倒な作業が不要になり、組立工程での作業効率を高めて作業性を向上させることが可能になる。
【００９４】
尚、一対のブラケット１４１には、後述するドア部材開閉駆動機構１４０の各部材を支持するものである。
【００９５】
図２０は前面アース１５０ａ及びホルダ４０を示す正面図である。
図２０中梨地模様で示されるように、前面アース１５０ａは、前面ベゼル１３０の挿入口１３３に対向する部分が開口１５０ｈとなっており、この開口１５０ｈはホルダ４０が挿入・イジェクト位置に上昇したとき、対向する位置に設けられている。また、前面アース１５０ａは、開口１５０ｈ以外にも電源スイッチ１５２に対向する開口１５０ｉと、発光ダイオード（ＬＥＤ）１５３に対向する開口１５０ｊと、ボリュームスイッチ１５４に対向する開口１５０ｋと、ヘッドホン用ジャック１５５に対向する開口１５０ｍとが設けられている。
【００９６】
操作者は、記録媒体の交換以外にも電源スイッチ１５２のオン・オフ操作、ボリュームスイッチ１５４の調整、ヘッドホン用ジャック１５５にヘッドホン用プラグ（図示せず）の挿入・引き抜き操作等の操作を行う。
【００９７】
このように、静電気が帯電した操作者が、各種操作を行うため、前面ベゼル１３０に指先を近づけたとき、静電気が前面アース１５０ａに放電されてロアベース１５０に流れるため、装置内部の記録媒体や電子部品に放電されることを防止する。そのため、ディスク装置１０に装着された記録媒体や装置内の電子部品が静電気の放電現象によりそう損傷することが防止され、ディスク装置１０の信頼性を高められている。
【００９８】
図２１は挿入された記録媒体に応じたディスクレバー６０の動作位置を示すための平面図である。
図２１に示されるように、記録媒体挿入前のディスクレバー６０は、ディスクレバー付勢バネ６５の付勢力によりキャリアユニット７０の側壁に当接する位置に保持されており、ディスク１１，１２及びディスクカートリッジ１３の挿入操作を妨げない位置Ｓ１にある。そして、ディスクレバー６０は、ディスクカートリッジ１３が挿入された場合、ディスクカートリッジ１３の側面がディスクレバー６０に対向して内側への回動を阻止するため、記録媒体挿入前と同じ位置Ｓ１にある。
【００９９】
また、ディスクレバー６０は、直径１２ｃｍのディスク１２が挿入された場合、ディスク保持部６３が装置内側に回動した位置Ｓ２にある。
【０１００】
また、ディスクレバー６０は、直径８ｃｍのディスク１１が挿入された場合、ディスク保持部６３がさらに装置内側に回動した位置Ｓ３にある。
【０１０１】
このように、挿入された記録媒体の種類によってディスクレバー６０の回動位置が異なることを利用して挿入された記録媒体の種類を検出することができる。すなわち、記録媒体がローディングされた状態において、回動部材１４４の先端突部１４４ａがディスクレバー６０先端に設けられたディスク保持部６３の突出部６３ａの上方に位置しているときは、ディスクカートリッジ１３が挿入されており、回動部材１４４の先端突部１４４ａがディスクレバー６０の突出部６３ａの上方に位置していないときは、ディスク１１，１２が挿入されている。
【０１０２】
よって、ディスク装置１０では、ディスクカートリッジ１３を検出するためのスイッチを別個に設けることなくディスクカートリッジ１３の有無に連動させてドア部材１３１，１３２を開閉させることができる。そのため、ディスクカートリッジ１３の有無を検出するために部品点数が増加せず、コストを安価に抑えることができる。
【０１０３】
本実施例では、ドア部材１３１，１３２を開放せず、閉じたままのドア部材１３１，１３２のスリット１３５を通してディスク１１，１２を挿入またはイジェクトすることができる。また、ディスクカートリッジ１３を挿入する際は、ディスクカートリッジ１３の挿入側端部がドア部材１３１，１３２を押圧して開くのに対し、ディスクカートリッジ１３をイジェクトする際は、予めドア部材１３１，１３２を開放させた後、ディスクカートリッジ１３を排出する必要がある。
【０１０４】
図２２は記録媒体挿入前のドア部材開閉駆動機構１４０の動作状態を示す側断面図である。
図２２に示されるように、ディスクレバー６０は、破線で示すようにディスク保持部６３の突出部６３ａが回動部材１４４の上方に位置（図２１の位置Ｓ１）している。また、回動部材１４４は、トーションバネ１４５のバネ力によって上方に回動し、側面１４４ｃをスライド部材１４２の上端側面１４２ｆに当接させ、且つ先端突部１４４ａが水平方向へ突出する向きになっている。
【０１０５】
ディスク１１，１２を挿入するときは、前述したようにドア部材１３１，１３２の裏面に固着された弾性部材１３６，１３７がディスク１１，１２の周縁部に押圧されて内側に撓むため、ディスク１１，１２の挿入が容易に行われる。
【０１０６】
また、ディスクカートリッジ１３が挿入される際は、ドア部材１３１，１３２が直接挿入方向に押圧されるため、ドア部材１３１，１３２が軸１３１ｂ，１３２ｂを中心に装置内側に回動してディスクカートリッジ１３の挿入が許容される。その際、ドア部材１３１，１３２の偏心ピン１３１ａ，１３２ａが係合部１４２ａ，１４２ｂを上方に押圧してスライド部材１４２を上動させる。
【０１０７】
また、前面ベゼル１３０の裏面には、ロアベース１５０と一体に形成されたシールド部１５０ａが密着するように垂立しており、挿入口１３３の周囲を囲むように延在形成されている。このロアベース１５０は、当該ディスク装置のアースであり、シールド部１５０ａは前面ベゼル１３０の前方より操作者の指が接近した場合、操作者の静電気をアース側へ逃がすことができる。そのため、例えば、前面ベゼル１３０の挿入口１３３から静電気が装置内部に放電されることを防止して装置内の電子部品を保護できる。
【０１０８】
図２３はディスク１１，１２の挿入、イジェクト時のドア部材開閉駆動機構１４０の動作状態を示す側断面図である。
図２３に示されるように、ディスク１１，１２の挿入、イジェクト時は、前述したように、ディスクレバー６０のディスク保持部６３がディスク１１，１２を保持するための位置（図２１の位置Ｓ２、Ｓ３）にあるため、ディスク保持部６３の突出部６３ａが回動部材１４４の上方及び下方から退避した位置に位置しており、回動部材１４４がトーションバネ１４５のバネ力によりＡ方向に回動して側面１４４ｃをスライド部材１４２の上端側面１４２ｆに当接させている。
【０１０９】
そして、スライド部材１４２はコイルバネ１４３に付勢されて下方に移動しており、ドア部材１３１，１３２を閉位置に保持している。しかしながら、ディスク１１，１２は、前述したようにドア部材１３１，１３２の裏面に固着された弾性部材１３６，１３７をディスク１１，１２の周縁部が押圧するため、容易に装置内に挿入または装置外に排出される。
【０１１０】
図２４はディスク１１，１２がキャリアユニット７０の搬送動作により装置内にローディングされているときの動作状態を示す側断面図である。
図２４に示されるように、このローディング動作によりホルダ４０は、ターンテーブル２４及びピックアップ２６が搭載されたベース２０上に降下する。この時、上記図２１のときと同様に、ディスクレバー６０のディスク保持部６３がディスク１１，１２を保持するため回動部材１４４から離間した位置（図２１の位置Ｓ２、Ｓ３）にあり、且つ降下しているが、回動部材１４４がトーションバネ１４５のバネ力により上方に回動してスライド部材１４２に当接した状態になっている。従って、回動部材１４４は、Ａ方向に回動して側面１４４ｃをスライド部材１４２の上端側面１４２ｆに当接させている。スライド部材１４２はコイルバネ１４３に付勢されて下方に移動しており、ドア部材１３１，１３２を閉位置に保持している。
【０１１１】
図２５はディスクカートリッジ１３の挿入時の動作状態を示す側断面図である。
図２５に示されるように、ディスクカートリッジ１３の挿入時は、ディスクカートリッジ１３の挿入側端部がドア部材１３１，１３２を直接挿入方向に押圧するため、ドア部材１３１，１３２は軸１３１ｂ，１３２ｂを中心に装置内側に回動する。これにより、ディスクカートリッジ１３は、容易に挿入される。その際、スライド部材１４２は、ドア部材１３１，１３２の偏心ピン１３１ａ，１３２ａがスライド部材１４２の係合部１４２ａ，１４２ｂを上方に押圧するため、ドア部材１３１，１３２の開動作に連動して上動する。
【０１１２】
また、ディスクカートリッジ１３の挿入時は、スライド部材１４２が上方に移動すると共に、スライド部材１４２に支持された回動部材１４４の先端突部１４４ａがディスクレバー６０の突出部６３ａに当接して下方に傾斜した状態となりながら上方へ移動する。
【０１１３】
図２６はディスクカートリッジ１３のイジェクト（排出）時の動作状態を示す側断面図である。
図２６に示されるように、ディスクカートリッジ１３のイジェクト（排出）時は、ディスクレバー６０は位置Ｓ１にあり、突出部６３ａが先端突部１４４ａの下方にある。
【０１１４】
ディスクカートリッジ１３が挿入されたホルダ４０が図４（Ｂ）に示す下動位置から図４（A）に示す上動位置へ上昇すると共に、ディスクレバー６０の突出部６３ａが回動部材１４４の先端突部１４４ａを上方に押圧して回動部材１４４を支持するスライド部材１４２を上方へ移動させる。このように、スライド部材１４２が上方にスライドすることにより、ドア部材１３１，１３２は軸１３１ｂ，１３２ｂを中心に装置内側に回動する。これにより、前面ベゼル１３０の挿入口１３３が開蓋される。
【０１１５】
図２７はディスクカートリッジ１３がキャリアユニット７０の搬送動作により装置内にローディングされているときの動作状態を示す側断面図である。
図２７に示されるように、上記図２４と同様に、ローディング動作によりホルダ４０は、ターンテーブル２４及びピックアップ２６が搭載されたベース２０上に降下する（図４（Ｂ）参照）。そのため、ディスクレバー６０のディスク保持部６３は、上記図２２のときと同様に、ディスクカートリッジ１３の側面に対向する位置（図２１の位置Ｓ１）にあるが、図２６に示すイジェクトのときよりも降下するため、突出部６３ａが回動部材１４４の先端突部１４４ａを下方に押圧する。よって、回動部材１４４は、図２５に示すようにトーションバネ１４５のバネ力に抗して一旦下方に傾斜した後、回動部材１４４の先端突部１４４ａがディスクレバー６０の突出部６３ａから外れ、トーションバネ１４５のバネ力により上方に復帰する。
【０１１６】
また、スライド部材１４２はコイルバネ１４３に付勢されて下方に移動しており、ドア部材１３１，１３２を閉位置に保持している。
【０１１７】
次に、ディスクカートリッジ１３が装着された後、操作者がイジェクト操作を行うと、図２６に示すイジェクト状態に動作する。すなわち、ディスクカートリッジ１３が挿入されたホルダ４０が上昇する（図４（A）参照）ことにより、ディスクカートリッジ１３の側面に当接しているディスクレバー６０のディスク保持部６３の突出部６３ａが図２６に示すように回動部材１４４の先端突部１４４ａに当接し、これを上方に押圧する。
【０１１８】
このとき、回動部材１４４は、トーションバネ１４５のバネ力によって上方に回動し、側面１４４ｃをスライド部材１４２の上端側面１４２ｆに当接させている。これにより、回動部材１４４は、スライド部材１４２の上端側面１４２ｆに回動規制されているため、ディスクレバー６０のディスク保持部６３を介して伝達されたホルダ４０の上昇動作により、スライド部材１４２と共に上動する。
【０１１９】
このように、スライド部材１４２が上動することにより、ドア部材１３１，１３２の偏心ピン１３１ａ，１３２ａに係合する係合部１４２ａ，１４２ｂが偏心ピン１３１ａ，１３２ａを上方に押圧してドア部材１３１，１３２を開動作させる（図２６参照）。
【０１２０】
従って、ドア部材１３１，１３２は、ディスクカートリッジ１３が挿入されたホルダ４０が上昇するのに連動して開くため、ディスクカートリッジ１３がキャリアユニット７０のイジェクト動作により排出される前に挿入口１３３が開放されている。そのため、ディスクカートリッジ１３は、支障なく挿入口１３３から排出される。よって、ディスク装置１０では、記録媒体の種類や形式（例えば、ディスクのみ、あるいはディスクが収納されたカートリッジ）に関わらず、スロットイン方式の記録媒体装着機構を採用することが可能になる。
【０１２１】
続いて、上記構成とされたディスク装置１０の動作について説明する。
図２は、ディスク１１，１２及びディスクカートリッジ１３が挿入されていない状態のディスク装置１０を示している。この時、キャリアユニット７０は、図２中矢印Ｙ２方向限の位置（以下、この位置をイジェクト位置Ｐ１という）に移動している。
【０１２２】
キャリアユニット７０がイジェクト位置Ｐ１（図２参照）にある時、ディスクレバー６０のレバー本体部６１は、図１１（Ａ）に示されるように、キャリアユニット７０の裏面に形成された段差形状のカム部Ｎ１と当接した状態となっている。これにより、ディスクレバー６０はディスクレバー付勢バネ６５の付勢力に抗し、係合爪部６３がキャリアユニット７０の移動に邪魔にならない位置まで退避している。
また、カートリッジレバー７７は、前記のように軸部１０５がカートリッジレバー案内溝１０３，１０４内で移動することにより、キャリアユニット７０に対して図中矢印Ｙ１，Ｙ２方向に変位可能な構成とされている。また、カートリッジレバー７７は、カートリッジレバー付勢バネ１０８により図中矢印Ｙ２方向に移動付勢されている。
【０１２３】
しかしながら、キャリアユニット７０がイジェクト位置Ｐ１にある時、カートリッジレバー７７に形成された係合爪１０６は、右レール５０に配設されたカートリッジレバー退避用カム５４と係合するよう構成されている。そして、キャリアユニット７０がイジェクト位置Ｐ１まで移動した状態において、軸部１０５はカートリッジレバー案内溝１０３，１０４の図中矢印Ｙ１方向限に位置するよう構成されている。
【０１２４】
また、カートリッジ退避用カム５４には傾斜面が形成されており、カートリッジレバー７７の係合爪１０６はこの傾斜面に係合するよう構成されている。よって、カートリッジレバー７７が傾斜面に押圧されると、係合爪１０６はカートリッジレバー付勢バネ１０８の弾性力により傾斜面に押圧されると、係合爪１０６は傾斜面に沿って変位し、これによりカートリッジレバー７７は軸部１０５を中心として反時計方向に若干量回動する。
【０１２５】
しかしながら、カートリッジレバー７７の外側（Ｘ２方向側）には、ディスク装置のカバーＮ２（図２に一部を図示）が設けられている。このため、カートリッジレバー７７の外側側面がカバーＮ２と当接することにより、カートリッジレバー７７の更なる反時計方向への回動は規制される。
【０１２６】
ここで、キャリアユニット７０がイジェクト位置Ｐ１（図２参照）にある時における、キャリアユニット７０に対するカートリッジレバー７７の位置に注目する。
前記したように、キャリアユニット７０がイジェクト位置Ｐ１にある時、カートリッジレバー７７がカートリッジレバー退避用カム５４及びカバーＮ２と当接することにより、軸部１０５はカートリッジレバー案内溝１０３，１０４の図中矢印Ｙ１方向限まで移動した状態となっている。従って、カートリッジレバー７７もキャリアユニット７０に対して図中矢印Ｙ１方向に変位した状態となっている。このため、キャリアユニット７０がイジェクト位置Ｐ１（図２参照）に位置していても、カートリッジレバー７７がキャリアユニット７０の前面８９から図中矢印Ｙ２方向に突出するようなことはない。
【０１２７】
従来のトレイを用いたディスク装置では、イジェクト状態においてトレイが装置本体から前方に延出し、設置スペースの増大及びトレイの損傷を発生させる原因となっていた。しかしながら、本実施例のディスク装置１０では、イジェクト状態であってもディスク装置１０の前方に突出するものはなく、よってディスク装置１０を設置する際、設置スペースの省スペース化を図れると共に故障の発生を抑制することができる。
【０１２８】
一方、シャッタレバー７８は、ベースカバー１２０に形成されたスリット１２６（図２では、図示を省略している）に案内されて時計方向に回動した位置にある。この状態において、シャッタ駆動ピン１１３は、挿入されるディスクカートリッジ１３に形成されたシャッタ１５と係合を開始する係合開始位置に位置するよう構成されている。
【０１２９】
更に、キャリアユニット７０がイジェクト位置Ｐ１にある時、ホルダ４０は図４（Ａ）に示すように、上動位置に移動した状態となっている。ホルダ４０が上動位置にある時、キャリアユニット７０はフロントベゼル１３０の挿入開口１３３と対向した状態となっており、ディスク１１，１２及びディスクカートリッジ１３の挿入を許容している。
【０１３０】
このイジェクト状態のディスク装置１０にディスク１１，１２或いはディスクカートリッジ１３が挿入されると、ディスク装置１０は搬送動作を開始する。以下、この搬送動作を８ｃｍディスク１１，１２ｃｍディスク１２，ディスクカートリッジ１３に夫々分けて説明する。
【０１３１】
先ず、図２８乃至図３０を用いて８ｃｍディスク１１がディスク装置１０に挿入された時の搬送動作について説明する。
図２に示したイジェクト状態のディスク装置１０に、フロントベゼル１３０を介して８ｃｍディスク１１を挿入すると、前記したように８ｃｍディスク１１はディスク対向面９３に案内されて図中矢印Ｙ１方向に進行し、やがて８ｃｍディスク用湾曲壁９４に当接し、これと共に８ｃｍディスク用舌片部８６（クリップディスク７４−１〜７４−４）に保持される（図７乃至図９参照）。
【０１３２】
また、８ｃｍディスク１１が８ｃｍディスク用湾曲壁９４と当接することにより、８ｃｍディスク検出用スイッチ９６は８ｃｍディスク１１により押圧操作される。これにより、制御装置は８ｃｍディスク１１がキャリアユニット７０に保持されたことを検知することができる。
【０１３３】
８ｃｍディスク１１がキャリアユニット７０に保持されたことが検知されると、制御装置はローディングモータ１００に対し電圧印加を開始し、これによりギヤ群１０１を介してギヤ１０２は回動される。この際、制御装置は、キャリアユニット７０が図２に示す位置から所定距離図中矢印Ｙ１方向に移動するまでは、ローディングモータ１００に印加する駆動電圧が正規駆動電圧（Ｅボルトとする）の半分の電圧（Ｅ／２）となるよう制御する。
【０１３４】
具体的には、キャリアユニット７０が図２に示すイジェクト位置Ｐ１から図２８に示す位置まで移動する間は、ローディングモータ１００に対して正規駆動電圧（Ｅ）の約半分の電圧（Ｅ／２）が印加される。尚、以下の説明において、キャリアユニット７０の図２７に示す位置を８ｃｍディスクローディング開始位置（８Ｌ開始位置と略称する）といい、図中Ｐ２で示すものとする。
【０１３５】
上記のようにローディングモータ１００に対する印加電圧を低くすると、ローディングモータ１００が発生する駆動力も低くなるため、そのままの状態ではキャリアユニット７０は移動しない。しかしながら、ディスク挿入時には、操作者が８ｃｍディスク１１をディスク装置１０に挿入する挿入力がキャリアユニット７０に印加される。これにより、キャリアユニット７０は図中矢印Ｙ１方向への移動を開始する。
【０１３６】
従って、操作者が８ｃｍディスク１１を第１のローディング開始位置Ｐ２まで挿入する操作は、操作者の挿入力をローディングモータ１００の駆動力がアシストする構成となる。このため、操作者にすると小さな挿入力で８ｃｍディスク１１を挿入することができ、よって８ｃｍディスク１１の挿入時における操作性を向上することができる。
【０１３７】
ここで、図１１を参照して、キャリアユニット７０がイジェクト位置Ｐ１（図２参照）から８Ｌ開始位置Ｐ２（図２参照）まで移動する間の、ディスクレバー６０の動作について説明する。
【０１３８】
キャリアユニット７０がイジェクト位置Ｐ１から８Ｌ開始位置Ｐ２まで移動することにより、キャリアユニット７０の裏面に形成された段差状のカム部Ｎ１が図中矢印Ｙ１方向に移動する。これにより、ディスクレバー６０は、ディスクレバー付勢バネ６５の付勢力によりレバー本体部６１が段差状のカム部Ｎ１に摺接しつつ反時計方向（図２６に矢印Ｃ１で示す方向）に回動し、ディスクレバー６０に形成されている係合爪部６３は図１１（Ｃ）及び図２８に示すように８ｃｍディスク１１の挿入方向後部に係合する。
【０１３９】
ディスクレバー６０は、レバー本体部６１が段差状のカム部Ｎ１から離間すると、ディスクレバー付勢バネ６５の付勢力により、８ｃｍディスク１１の挿入方向後部をディスク挿入方向に押圧する。
【０１４０】
これにより、８ｃｍディスク１１は、その挿入方向前部をクリップディスク７４−１〜７４−４に保持されると共に、挿入方向後部をディスクレバー６０により保持された構成となる。このように、本実施例では８ｃｍディスク１１の挿入方向前部及び挿入方向後部の双方を保持することにより、カートリッジに装着されていない構成の８ｃｍディスク１１であっても、この８ｃｍディスク１１がキャリアユニット７０から離脱することを防止でき、安定した搬送処理を行うことが可能となる。
【０１４１】
また、レバー本体部６１はキャリアユニット７０の裏面に形成された段差状のカム部Ｎ１により回動動作時期を調整されており、係合爪部６３は８ｃｍディスク１１の最大直径部位（矢印Ｘ１，Ｘ２方向に対する最大径部位。即ち、中央位置）が図中矢印Ｙ１方向に通過した後に初めて、８ｃｍディスク１１の挿入方向後部に当接するよう構成されている。よって、ディスク外周によりディスクレバー付勢バネ６５の付勢力に抗して、ディスクレバー６１を矢印Ｃ２方向に回動させる必要がありません。この構成により、ディスク挿入負荷の小さいディスク装置を実現できます。
【０１４２】
また、カートリッジレバー７７は、キャリアユニット７０がイジェクト位置Ｐ１（図２参照）から８Ｌ開始位置Ｐ２（図２参照）に移動することにより、カートリッジレバー付勢バネ１０８に付勢されて軸部１０５がカートリッジレバー案内溝１０３，１０４内を図中矢印Ｙ２方向に移動する。即ち、カートリッジレバー７７は、キャリアユニット７０に対しては図中矢印Ｙ２方向に相対的に移動する。
【０１４３】
しかしながら、上記イジェクト位置Ｐ１から８Ｌ開始位置Ｐ２までの移動では、カートリッジレバー７７の係合爪１０６はカートリッジレバー退避用カム５４と当接した状態を維持しており、よってホルダ４０に対するカートリッジレバー７７の位置は変化していない。
【０１４４】
また、図２８に示すキャリアユニット７０が８Ｌ開始位置Ｐ２まで移動した状態では、カートリッジレバー７７はキャリアユニット７０の前面８９に対して図中矢印Ｙ２方向に延出した状態となる。しかしながら、キャリアユニット７０はディスク装置１０内で移動しているため、カートリッジレバー７７がディスク装置１０から突出するようなことはない。
【０１４５】
上記のようにキャリアユニット７０が８Ｌ開始位置Ｐ２位置（図２８参照）まで移動すると、制御装置はローディングモータ１００に対し正規電圧（Ｅ）を印加する。これにより、キャリアユニット７０はローディングモータ１００の駆動力により、図中矢印Ｙ１方向に移動を開始する。そして、図２９に示すように、８ｃｍディスク１１が、その中央に形成されたセンターホール１１ａとターンテーブル２４とが一致する位置まで搬送されると、制御装置は一旦８ｃｍディスク１１の搬送を中止する。
尚、以下の説明において、８ｃｍディスク１１のセンターホール１１ａとターンテーブル２４とが一致するキャリアユニット７０の位置を８ｃｍディスクローディング完了位置（８Ｌ完了位置と略称する）といい、図中Ｐ４（図２９参照）で示すものとする。また、この時における８ｃｍディスク１１の位置をローディング位置というものとする。
【０１４６】
このキャリアユニット７０が８Ｌ開始位置Ｐ２から８Ｌ完了位置Ｐ４（図２９参照）に移動する際、ディスクレバー６０は常に８ｃｍディスク１１の挿入方向後部と係合した状態を維持する。
即ち、ディスクレバー６０は回転軸６２を中心に回動自在の構成とされており、かつ回転軸６２により反時計方向（図２８に矢印Ｃ１で示す方向）に常に付勢されている。従って、８ｃｍディスク１１が図中矢印Ｙ１方向に搬送されることにより、これに追随してディスクレバー６０は回動し、よってディスクレバー６０は常に８ｃｍディスク１１の挿入方向後部と係合した状態を維持する。これにより、８Ｌ開始位置Ｐ２から８Ｌ完了位置Ｐ４に８ｃｍディスク１１が搬送される間も、８ｃｍディスク１１はキャリアユニット７０及びディスクレバー６０に確実に保持され安定した搬送が行なわれる。
【０１４７】
また、カートリッジレバー７７は、図２８に示すキャリアユニット７０が８Ｌ開始位置Ｐ２まで移動した時点で軸部１０５がカートリッジレバー案内溝１０３，１０４の図中矢印Ｙ２方向限の位置まで移動しているため、更にキャリアユニット７０が図中矢印Ｙ１方向に移動することにより、キャリアユニット７０と共に図中矢印Ｙ１方向に移動する。
【０１４８】
この際、係合爪１０６はカートリッジレバー退避用カム５４から離間し、コイルバネ１０８の付勢力によって時計方向に回動しつつ矢印Ｙ１方向に移動する。このため、カートリッジレバー７７は右レール５０に沿うように軸部１０５を中心として時計方向に回動し、カートリッジレバー７７の側面が縁部５３ａから離間した状態において、図２９に示されるようにカートリッジレバー７７は右レール５０に沿った状態（図中、矢印Ｙ１，Ｙ２方向に延在する状態）となる。
【０１４９】
上記のように８ｃｍディスク１１がセンターホール１１ａとターンテーブル２４とが一致する８Ｌ完了位置Ｐ４まで搬送されると、制御装置は前記したスライドモータを駆動し、ホルダ駆動スライダ３０を図中矢印Ｘ１方向に移動させる（図３参照）。これにより、ホルダ４０は図４（Ａ）に示す上動位置から回動軸５７を中心として図４（Ｂ）に示す下動位置に移動し、これに伴い８ｃｍディスク１１も下動してターンテーブル２４に装着される。また、前記したようにホルダ４０に配設されたクランパ５８がターンテーブル２４にクランプ用マグネットの吸着力により吸着され、これにより８ｃｍディスク１１はクランパ５８とターンテーブル２４との間でクランプされる。
【０１５０】
これにより、８ｃｍディスク１１はディスクモータ２５により回転可能な状態となる。しかしながら、前記したキャリアユニット７０及びディスクレバー６０により保持された状態では、８ｃｍディスク１１は回転することはできない。このため、８ｃｍディスク１１がクランプされた後、キャリアユニット７０及びディスクレバー６０は８ｃｍディスク１１を保持する位置から退避するよう構成されている。
【０１５１】
先ず、ディスクレバー６０が８ｃｍディスク１１を保持する位置から退避する動作について説明する。
前記したように、ベース２０には第１及び第２のディスク駆動カム２８，２９が立設されている。この内、第１のディスク駆動カム２８は、キャリアユニット７０が８Ｌ完了位置Ｐ４位置まで移動したときにおける、ディスクレバー６０の位置に対応した位置に配設されている。
【０１５２】
即ち、ディスクレバー６０はキャリアユニット７０が図中矢印Ｙ１方向に移動し、これに伴い８ｃｍディスク１１が同方向に搬送されると、これに伴い回転軸６２を中心として回動する。そして、８ｃｍディスク１１が図２９に示す８Ｌ完了位置Ｐ４まで移動し、これに伴いディスクレバー６０が図２９に示す位置まで回動した際、ディスクレバー６０に形成されている係合部６６は、ベース２０に形成されている第１のディスク駆動カム２８と対向するよう構成されている。
【０１５３】
従って、上記のようにホルダ４０が上動位置から下動位置に移動することにより、第１のディスク駆動カム２８はディスクレバー６０の係合部６６と係合し、ディスクレバー６０を図３０に矢印Ｃ２で示す方向に回動付勢する。これにより、ディスクレバー６０に設けられている係合爪部６３は、図３０に示すように８ｃｍディスク１１から離間する。
この際、図４（Ａ）に示されるように、第１のディスク駆動カム２８にはテーパ面が形成されているため、ディスクレバー６０の回動付勢を円滑に行なうことができる。
【０１５４】
続いて、キャリアユニット７０が８ｃｍディスク１１を保持する位置から退避する動作について説明する。
前記したように、キャリアユニット７０が８Ｌ完了位置Ｐ４まで搬送されると、８ｃｍディスク１１はクランパ５８とターンテーブル２４との間でクランプされる。即ち、８ｃｍディスク１１は、この状態において図中矢印Ｙ１，Ｙ２方向への移動が不可能となる。
【０１５５】
制御手段は、８ｃｍディスク１１がクランパ５８とターンテーブル２４との間でクランプされたことを図示しない検知スイッチにより検知すると、再びローディングモータ１００を駆動し、キャリアユニット７０を図３０に示す位置まで移動させる。 尚、以下の説明において、図３０に示すキャリアユニット７０の位置を８ｃｍディスクローディング退避位置（８Ｌ退避位置と略称する）といい、図中Ｐ５で示すものとする。
【０１５６】
前記のように８ｃｍディスク１１がクランプされた状態でキャリアユニット７０が８Ｌ完了位置Ｐ４（図２９参照）から８Ｌ退避位置Ｐ５（図３０参照）に移動することにより、８ｃｍディスク１１は各クリップディスク７４−１〜７４−４から離脱する。これにより、キャリアユニット７０による８ｃｍディスク１１の保持も解除される。
【０１５７】
尚、８ｃｍディスク１１がディスク装置１０から排出される際には、上記した装着時における動作と反対の動作となるためその説明は省略する。
但し、８ｃｍディスク１１の排出時には、図２８に示す８Ｌ開始位置Ｐ２から図２に示すイジェクト位置Ｐ１位置までの間も、ローディングモータ１００には正規電圧（Ｅ）が印加される。このため、操作者がキャリアユニット７０から８ｃｍディスク１１を取り出す（離脱させる）操作は、キャリアユニット７０が図２に示すイジェクト位置Ｐ１にある状態において行なわれる。この状態では、８ｃｍディスク１１はフロントベゼル１３０から大きく引き出されるため、８ｃｍディスク１１の取り出し操作を容易に行うことができる。
【０１５８】
続いて、図３１乃至図３３を用いて１２ｃｍディスク１２がディスク装置１０に挿入された時の搬送動作について説明する。
図２に示したイジェクト状態のディスク装置１０に、フロントベゼル１３０を介して１２ｃｍディスク１２を挿入すると、前記したように１２ｃｍディスク１２はディスク対向面９３に案内されて図中矢印Ｙ１方向に進行し、やがて１２ｃｍディスク用湾曲壁９５に当接し、これと共に１２ｃｍディスク用舌片部８８（クリップディスク７４−１〜７４−４）に保持される。
【０１５９】
また、１２ｃｍディスク１２が１２ｃｍディスク用湾曲壁９５と当接することにより、１２ｃｍディスク検出用スイッチ９７は１２ｃｍディスク１２により押圧操作される。これにより、制御装置は１２ｃｍディスク１２がキャリアユニット７０に保持されたことを検知する。
【０１６０】
１２ｃｍディスク１２がキャリアユニット７０に保持されたことが検知されると、制御装置はローディングモータ１００に対し電圧印加を開始する。この際、１２ｃｍディスク１２の挿入時においても、制御装置はキャリアユニット７０が図２に示す位置から図３１に示す位置まで移動する間は、ローディングモータ１００に対して正規駆動電圧（Ｅ）の半分の電圧（Ｅ／２）を印加する構成としており、ディスク挿入時における操作性の向上を図っている。
尚、以下の説明において、キャリアユニット７０の図３１に示す位置を１２ｃｍディスクローディング開始位置（１２Ｌ開始位置と略称する）といい、図中Ｐ４で示すものとする。また、この１２Ｌ開始位置Ｐ４位置は、８ｃｍディスク１１の搬送時における、図２９に示した８Ｌ完了位置Ｐ４と同一の位置となるよう設定されている。
【０１６１】
一方、キャリアユニット７０がイジェクト位置Ｐ１から１２Ｌ開始位置Ｐ４まで移動することにより、キャリアユニット７０の裏面に形成された段差状のカム部Ｎ１が図中矢印Ｙ１方向に移動する。これにより、ディスクレバー６０は、ディスクレバー付勢バネ６５の付勢力によりレバー本体部６１が段差状のカム部Ｎ１に摺接しつつ、反時計方向（図３１に矢印Ｃ１で示す方向）に回動し、ディスクレバー６０に形成されている係合爪部６３は図３１に示すように、１２ｃｍディスク１２の挿入方向後部に係合する。ディスクレバー６０は、レバー本体部６１が段差状のカム部Ｎ１から離間した後は、ディスクレバー付勢バネ６５の付勢力により、１２ｃｍディスク１２を押圧する。
【０１６２】
これにより、１２ｃｍディスク１２の挿入においても、１２ｃｍディスク１２はその挿入方向前部をクリップディスク７４−１〜７４−４に保持されると共に、挿入方向後部をディスクレバー６０により保持された構成となる。従って、１２ｃｍディスク１２は挿入方向前部及び挿入方向後部の双方を保持されることになり、カートリッジに装着されていない構成の１２ｃｍディスク１２であってもキャリアユニット７０から離脱することを防止でき、安定した搬送処理を行うことができる。
【０１６３】
一方、カートリッジレバー７７は、キャリアユニット７０がイジェクト位置Ｐ１から１２Ｌ開始位置Ｐ４に移動することにより、カートリッジレバー付勢バネ１０８に付勢されて軸部１０５がカートリッジレバー案内溝１０３，１０４内を図中矢印Ｙ２方向に移動する。
即ち、カートリッジレバー７７は、キャリアユニット７０に対しては図中矢印Ｙ２方向に相対的に移動する。また、１２ｃｍディスク１２の挿入時における１２Ｌ開始位置Ｐ４は、先に説明した８ｃｍディスク１１の挿入時における８Ｌ開始位置Ｐ２に比べ、図中矢印Ｙ１方向に所定距離離間した位置に設定されている。
【０１６４】
このため、キャリアユニット７０の１２Ｌ開始位置Ｐ４への移動に伴い、カートリッジレバー７７の係合爪１０６はカートリッジレバー退避用カム５４から離間し、かつ、コイルバネ１０８の付勢力によって時計方向に回動しつつ矢印Ｙ１方向に移動する。これにより、カートリッジレバー７７は右レール５０に沿うように軸部１０５を中心として時計方向に回動し、図３１に示されるように右レール５０に沿った状態（図中、矢印Ｙ１，Ｙ２方向に延在する状態）となる。
【０１６５】
上記のようにキャリアユニット７０が１２Ｌ開始位置Ｐ４まで移動すると、制御装置はローディングモータ１００に対し正規電圧（Ｅ）を印加し、これによりキャリアユニット７０は独自に図中矢印Ｙ１方向への移動を開始する。そして、図２９に示すように、１２ｃｍディスク１２が、その中央に形成されたセンターホール１２ａとターンテーブル２４とが一致する位置まで搬送されると、制御装置は一旦１２ｃｍディスク１２の搬送を中止する。
尚、以下の説明において、１２ｃｍディスク１２のセンターホール１２ａとターンテーブル２４とが一致するキャリアユニット７０の位置を１２ｃｍディスクローディング完了位置（１２Ｌ完了位置と略称する）といい、図中Ｐ５（図３２参照）で示すものとする。また、この時における１２ｃｍディスク１２の位置をローディング位置というものとする。
【０１６６】
このキャリアユニット７０が１２Ｌ開始位置Ｐ４から１２Ｌ完了位置Ｐ５に移動する際、８ｃｍディスク１１の搬送時と同様に、ディスクレバー６０は常に１２ｃｍディスク１２の挿入方向後部と係合した状態を維持する。よって、１２Ｌ開始位置Ｐ４から１２Ｌ完了位置Ｐ５に１２ｃｍディスク１２が搬送される間も、１２ｃｍディスク１２はキャリアユニット７０及びディスクレバー６０に確実に保持され安定した状態で搬送が行なわれる。
【０１６７】
また、本実施例ではディスクレバー６０をホルダ４０に回動可能に配設することにより、直径寸法の異なる８ｃｍディスク１１と１２ｃｍディスク１２の挿入方向後部の保持を一つのディスクレバー６０により行う構成としている。これにより、ディスク装置１０の部品点数の削減及び構成の簡単化を図ることができる。
【０１６８】
上記のように１２ｃｍディスク１２がセンターホール１２ａとターンテーブル２４とが一致する１２Ｌ完了位置Ｐ５まで搬送されると、制御装置は前記したスライドモータを駆動し、ホルダ駆動スライダ３０を図中矢印Ｘ１方向に移動させる（図３参照）。これにより、ホルダ４０は図４（Ａ）に示す上動位置から回動軸５７を中心として図４（Ｂ）に示す下動位置に移動し、これに伴い１２ｃｍディスク１２も下動してターンテーブル２４に装着されると共に、クランパ５８とターンテーブル２４との間でクランプされる。
【０１６９】
これにより、１２ｃｍディスク１２はディスクモータ２５により回転可能な状態となる。しかしながら、前記したキャリアユニット７０及びディスクレバー６０により保持された状態では、１２ｃｍディスク１２は回転することはできない。このため８ｃｍディスク１１がクランプされた後、キャリアユニット７０及びディスクレバー６０は１２ｃｍディスク１２を保持する位置から退避するよう構成されている。
【０１７０】
先ず、ディスクレバー６０が１２ｃｍディスク１２を保持する位置から退避する動作について説明する．
前記したように、ベース２０には第１及び第２のディスク駆動カム２８，２９が立設されている。この内、第２のディスク駆動カム２９は、キャリアユニット７０が１２Ｌ完了位置Ｐ５まで移動したときにおける、ディスクレバー６０の位置に対応した位置に配設されている。
【０１７１】
即ち、ディスクレバー６０は、キャリアユニット７０が図中矢印Ｙ１方向に移動し、これに伴い１２ｃｍディスク１２が同方向に搬送されると、これに伴い回転軸６２を中心として回動する。そして、１２ｃｍディスク１２が図３２に示す１２Ｌ完了位置Ｐ５まで移動し、これに伴いディスクレバー６０が図３２に示す位置まで回動した際、ディスクレバー６０に形成されている係合部６６は、ベース２０に形成されている第２のディスク駆動カム２９と対向するよう構成されている。
【０１７２】
従って、上記のようにホルダ４０が上動位置から下動位置に移動することにより、第２のディスク駆動カム２９はディスクレバー６０の係合部６６と係合し、ディスクレバー６０を図１７に矢印Ｃ２で示す方向に回動付勢する。これにより、ディスクレバー６０に設けられている係合爪部６３は、図３３に示すように１２ｃｍディスク１２から離間する。この際、第２のディスク駆動カム２９には、前記した第１のディスク駆動カム２８と同様にテーパ面が形成されているため、ディスクレバー６０の回動付勢を円滑に行うことができる。
【０１７３】
続いて、キャリアユニット７０が１２ｃｍディスク１２を保持する位置から退避する動作について説明する。
【０１７４】
前記したように、キャリアユニット７０が１２Ｌ完了位置Ｐ５まで搬送されると、１２ｃｍディスク１２はクランパ５８とターンテーブル２４との間でクランプされ、図中矢印Ｙ１，Ｙ２方向への移動が不可能となる。制御手段は、１２ｃｍディスク１２がクランプされたことを図示しない検知スイッチにより検知すると、再びローディングモータ１００を駆動し、キャリアユニット７０を図３１に示す位置まで移動させる。 尚、以下の説明において、図３３に示すキャリアユニット７０の位置を１２ｃｍディスクローディング退避位置（１２Ｌ退避位置と略称する）といい、図中Ｐ６で示すものとする。
【０１７５】
前記のように１２ｃｍディスク１２がクランプされた状態で、キャリアユニット７０が１２Ｌ完了位置Ｐ５から１２Ｌ退避位置Ｐ６（図３３参照）に移動することにより、１２ｃｍディスク１２は各クリップディスク７４−１〜７４−４から離脱する。これにより、キャリアユニット７０による１２ｃｍディスク１２の保持も解除され、１２ｃｍディスク１２に対して再生及び／または記録処理を行なうことが可能となる。
【０１７６】
尚、１２ｃｍディスク１２がディスク装置１０から排出される際には、上記した装着時における動作と反対の動作となるためその説明は省略する。 但し、１２ｃｍディスク１２の排出時においても、１２ｃｍディスク１２の取り出し操作性を向上させるため、図１５に示す１２Ｌ開始位置Ｐ４から図２に示すイジェクト位置Ｐ１までの間も、ローディングモータ１００に対し正規電圧（Ｅ）が印加される構成としている。
【０１７７】
続いて、図３４及び図３５を用いてディスクカートリッジ１３がディスク装置１０に挿入された時の搬送動作について説明する。
図２に示したイジェクト状態のディスク装置１０に、フロントベゼル１３０の挿入口１３３を介してディスクカートリッジ１３を挿入すると、このディスクカートリッジ１３の先端部はキャリアユニット７０の前面８９に先ず当接する。
前面８９にはディスクカートリッジ検出用スイッチ９８が配設されているため（図１０参照）、ディスクカートリッジ１３がキャリアユニット７０の前面８９に当接することにより、ディスクカートリッジ検出用スイッチ９８は押圧操作される。これにより、制御装置は、ディスクカートリッジ１３がディスク装置１０に挿入されたことを検知する。
また、ディスクカートリッジ１３がキャリアユニット７０と当接した状態において、シャッタレバー７８に設けられたシャッタ駆動ピン１１３は、ディスクカートリッジ１３に配設されたシャッタ１５の端部と係合する。
【０１７８】
ディスクカートリッジ１３がディスク装置１０に挿入されたことが検知されると、制御装置はローディングモータ１００に対し電圧印加を開始する。この際、ディスクカートリッジ１３の挿入時においても、制御装置はキャリアユニット７０が図２に示す位置から図３４に示す位置まで移動する間は、ローディングモータ１００に対して正規駆動電圧（Ｅ）の半分の電圧（Ｅ／２）を印加する構成としており、ディスク挿入時における操作性の向上を図っている。すなわち、キャリアユニット７０は、ローディングモータ１００の駆動力にアシストされながらディスクカートリッジ１３の挿入動作により押圧されながら図中矢印Ｙ１方向に移動する。そのため、操作者は、比較的小さな操作力でディスクカートリッジ１３を挿入することができる。
尚、以下の説明において、キャリアユニット７０の図３４に示す位置をディスクカートリッジローディング開始位置（Ｄ開始位置と略称する）といい、図中Ｐ３で示すものとする。
【０１７９】
キャリアユニット７０がイジェクト位置Ｐ１からＤＬ開始位置Ｐ３（図３４参照）まで移動する際、ディスクレバー６０はディスクカートリッジ１３の挿入に邪魔にならない位置に退避している。
即ち、キャリアユニット７０がイジェクト位置Ｐ１からＤＬ開始位置Ｐ３に移動することにより、ディスクレバー６０はレバー本体部６１がキャリアユニット７０の裏面の段差状のカム部Ｎ１から離間する。しかしながら、前記したようにディスクカートリッジ１３はキャリアユニット７０の前面８９と当接した状態であるため、レバー本体部６１がカム部Ｎ１から離間しても、続いて係合爪部６３がディスクカートリッジ１３の側面に当接する。よって、ディスクレバー６０はキャリアユニット７０がイジェクト位置Ｐ１にある時の位置を維持することとなり、ディスクレバー６０がディスクカートリッジ１３の挿入の邪魔になるようなことはない。
【０１８０】
一方、キャリアユニット７０がイジェクト位置Ｐ１から図中矢印Ｙ１方向に移動を開始し、図３４にＰ２で示す位置（この位置は、図２８に示した８Ｌ開始位置Ｐ２と同じ位置）まで移動すると、この移動に伴いカートリッジレバー７７はキャリアユニット７０に対して矢印Ｙ２方向に相対的に移動する。また、キャリアユニット７０が位置Ｐ２まで移動した時点で、カートリッジレバー７７の軸部１０５は、カートリッジレバー案内溝１０３，１０４の図中矢印Ｙ２方向限位置まで移動している。
【０１８１】
このキャリアユニット７０のイジェクト位置Ｐ１から位置Ｐ２までの移動では、カートリッジレバー７７の係合爪１０６はカートリッジレバー退避用カム５４と当接した状態を維持しており、よってホルダ４０に対するカートリッジレバー７７の位置は変化していない。しかしながら、前記のようにカートリッジレバー７７がキャリアユニット７０に対して矢印Ｙ２方向に移動することにより、カートリッジレバー７７はキャリアユニット７０の前面８９から図中矢印Ｙ２方向に延出した状態となる。
【０１８２】
上記した位置Ｐ２から更にキャリアユニット７０がＤＬ開始位置Ｐ３に向け移動すると、前記したようにキャリアユニット７０が位置Ｐ２まで移動した時点で軸部１０５がカートリッジレバー案内溝１０３，１０４の図中矢印Ｙ２方向限の位置まで移動しているため、カートリッジレバー７７はキャリアユニット７０と共に図中矢印Ｙ１方向に移動する。
【０１８３】
これにより、係合爪１０６はカートリッジレバー退避用カム５４から離間し、カートリッジレバー７７はコイルバネ１０８の付勢力によって時計方向に回動しつつ矢印Ｙ１方向に移動する。従って、カートリッジレバー７７はコイルバネ１０８に付勢されて右レール５０に沿うように軸部１０５を中心として時計方向に回動する。また、ディスクカートリッジ１３の側面には係合凹部１６が形成されており、この係合凹部１６の形成位置は上記のように回動するカートリッジレバー７７の係合爪１０６の移動軌跡上に位置するよう構成されている。
【０１８４】
従って、カートリッジレバー７７の上記回動により、図１８に示すように、係合爪１０６はディスクカートリッジ１３の係合凹部１６に係合する。そして、キャリアユニット７０の移動に伴い、カートリッジレバー７７の側面が縁部５３ａから離間した状態において、カートリッジレバー７７は係合爪１０６が係合凹部１６に係合した状態を維持しつつ、右レール５０に沿った状態（図中、矢印Ｙ１，Ｙ２方向に延在する状態）となる。
【０１８５】
更に、上記したキャリアユニット７０の移動に伴い、シャッタレバー７８は反時計方向に回動する。具体的には、シャッタレバー７８に配設されたシャッタ駆動ピン１１３はスリット１２６に係合しているため、キャリアユニット７０の挿入に伴いシャッタ駆動ピン１１３はスリット１２６の形状に案内されて移動する。
【０１８６】
これにより、シャッタレバー７８は、図３４に示されるように、反時計方向に回動し、またシャッタ駆動ピン１１３と係合しているシャッタ１５は矢印Ｘ２方向に摺動して開蓋される。そして、シャッタ１５が完全に開蓋した状態で、前記のようにシャッタ駆動ピン１１３はスリット１２６の直線部に保持された状態になる。
【０１８７】
このように、ディスク装置１０では、キャリアユニット７０のカートリッジレバー７７が挿入位置に挿入されたディスクカートリッジ１３を把持して装着位置へ搬送し、あるいは装着位置のディスクカートリッジ１３を挿入位置へイジェクトする。そして、キャリアユニット７０に揺動可能に設けられたシャッタレバー７８のシャッタ駆動ピン１１３が、ベースカバー１２０のスリット１２６に係合しながら挿入位置から装着位置へ移動する過程でカートリッジ１３のシャッタ１５に係合してディスクカートリッジ１３のシャッタ１５を開閉させる。
【０１８８】
上記のようにキャリアユニット７０がＤＬ開始位置Ｐ３まで移動すると、制御装置はローディングモータ１００に対し正規電圧（Ｅ）を印加する。これにより、キャリアユニット７０は、操作者がディスクカートリッジ１３を押圧しなくてもローディングモータ１００の駆動力のみにより図中矢印Ｙ１方向に移動を開始し、これに伴いカートリッジレバー７７に係合されたディスクカートリッジ１３も図中矢印Ｙ１方向に自動的に搬送される。そして、図３５に示すように、ディスクカートリッジ１３に装着されたＤＶＤ−ＲＡＭ１４のセンタホール１４ａがターンテーブル２４とが一致する位置まで搬送されると、制御装置はローディングモータ１００の回転を停止させてキャリアユニット７０の移動を停止させる。尚、以下の説明において、ＤＶＤ−ＲＡＭ１４のセンタホール１４ａとターンテーブル２４とが一致するキャリアユニット７０の位置をディスクカートリッジローディング完了位置（ＤＬ完了位置と略称する）といい、図中Ｐ６で示すものとする。このＤＬ完了位置Ｐ６は、図３３に示した１２Ｌ退避位置Ｐ６と同じ位置である。また、この時におけるディスクカートリッジ１３の位置をローディング位置というものとする。
【０１８９】
このキャリアユニット７０がＤＬ開始位置Ｐ３からＤＬ完了位置Ｐ６（図３５参照）に移動する際も、ディスクレバー６０はディスクカートリッジ１３の側面に当接し、ディスクカートリッジ１３の搬送の邪魔にならないよう退避した位置を維持している。
【０１９０】
上記のようにディスクカートリッジ１３がＤＬ完了位置Ｐ６まで搬送されると、制御装置は前記したスライドモータ（図示せず）を駆動し、ホルダ駆動スライダ３０を図中矢印Ｘ１方向に移動させる（図３参照）。これにより、ホルダ４０は図４（Ａ）に示す上動位置から回動軸５７を中心として図４（Ｂ）に示す下動位置に移動し、これに伴いディスクカートリッジ１３も下動する。
【０１９１】
よって、ディスクカートリッジ１３に内設されているＤＶＤ−ＲＡＭ１４はターンテーブル２４に装着され、クランパ５８とターンテーブル２４との間でクランプされる。これにより、ＤＶＤ−ＲＡＭ１４はディスクモータ２５により回転可能な状態となり、ＤＶＤ−ＲＡＭ１４に対し再生／記録処理が可能となる。
【０１９２】
尚、ディスクカートリッジ１３がディスク装置１０から排出される際には、上記した装着時における動作と反対の動作となるためその説明は省略する。但し、ディスクカートリッジ１３の排出時においては、取り出し操作性の向上を図るため、ＤＬ完了位置Ｐ６からイジェクト位置Ｐ１までの間の全ての間において、ローディングモータ１００には正規電圧（Ｅ）が印加される構成とされている。
【０１９３】
【発明の効果】
上述の如く、本発明によれば、導電部材の前端に、前面ベゼルの開口を開閉するドア部材開閉駆動機構の左右側面側を支持する一対のブラケットと、一対のブラケット間で少なくとも開口を除く前面ベゼルの裏面を覆うように形成された前面アース部とを一体的に設けたものであり、装置内に装着された記録媒体及び装置内の電子部品が静電気による放電現象で破損することを防止できると共に、前面アース部と導電部材との間をケーブルで接続する作業が不要になり、その分組立工程での作業効率を高めることができる。
さらに、ドア部材開閉駆動機構の左右側面側を支持する一対のブラケットに前面アース部を一体的に設けたため、記録媒体が挿入あるいは排出される開口の全周に亘り前面アース部を形成することが可能になり、記録媒体の挿入または排出時に接触する指先より静電気が流入しても、ブラケットを介して静電気を除去できると共に、より部品点数を削減することが可能になる。
【図面の簡単な説明】
【図１】本発明の一実施例であるディスク装置の分解斜視図である。
【図２】本発明の一実施例であるディスク装置の平面図である。
【図３】本発明の一実施例であるディスク装置の正面図である。
【図４】本発明の一実施例であるディスク装置の側面図であり、ホルダの動作を説明するための図である。
【図５】本発明の一実施例であるディスク装置に設けられるキャリアユニットの分解斜視図である。
【図６】キャリアユニットに配設されるクリップディスクの斜視図である。
【図７】クリップディスクの動作を説明するための図である（その１）。
【図８】クリップディスクの動作を説明するための図である（その２）。
【図９】クリップディスクの動作を説明するための図である（その３）。
【図１０】キャリアユニットに配設されるディスク検出スイッチ及びディスク用湾曲壁を説明するための図である。
【図１１】ディスクレバーの動作を説明するための図である。
【図１２】前面ベゼルの正面図である。
【図１３】前面ベゼルの側断面図である。
【図１４】前面ベゼルの開閉蓋１３１，１３２がディスクカートリッジ１３の挿入操作により開放動作した状態を示す側断面図である。
【図１５】ディスク１１，１２が開閉蓋１３１，１３２のスリット１３５に挿入された動作状態を示す側断面図である。
【図１６】ドア部材開閉駆動機構１４０が設けられた前面ベゼル１３０の背面図である。
【図１７】図１６中Ａ−Ａ線に沿う縦断面図である。
【図１８】ドア部材開閉駆動機構１４０を側方からみた側面図である。
【図１９】ロアベース１５０の構成を説明するための図であり、（Ａ）は平面図、（Ｂ）は側面図、（Ｃ）は正面図である。
【図２０】前面アース１５０ａ及びホルダ４０を示す正面図である。
【図２１】挿入された記録媒体に応じたディスクレバー６０の動作位置を示すための平面図である。
【図２２】記録媒体挿入前のドア部材開閉駆動機構１４０の動作状態を示す側断面図である。
【図２３】ディスク１１，１２の挿入、イジェクト時のドア部材開閉駆動機構１４０の動作状態を示す側断面図である。
【図２４】ディスク１１，１２がキャリアユニット７０の搬送動作により装置内にローディングされているときの動作状態を示す側断面図である。
【図２５】ディスクカートリッジ１３の挿入時の動作状態を示す側断面図である。
【図２６】ディスクカートリッジ１３のイジェクト（排出）時の動作状態を示す側断面図である。
【図２７】ディスクカートリッジ１３がキャリアユニット７０の搬送動作により装置内にローディングされているときの動作状態を示す側断面図である。
【図２８】本発明の一実施例であるディスク装置に８ｃｍディスクがローディング開始位置まで挿入された状態を示す図である。
【図２９】本発明の一実施例であるディスク装置に８ｃｍディスクがローディング完了位置までローディングされた状態を示す図である。
【図３０】本発明の一実施例であるディスク装置が８ｃｍディスクに対し記録／再生処理を実施している状態を示す図である。
【図３１】本発明の一実施例であるディスク装置に１２ｃｍディスクがローディング開始位置まで挿入された状態を示す図である。
【図３２】本発明の一実施例であるディスク装置に１２ｃｍディスクがローディング完了位置までローディングされた状態を示す図である。
【図３３】本発明の一実施例であるディスク装置が１２ｃｍディスクに対し記録／再生処理を実施している状態を示す図である。
【図３４】本発明の一実施例であるディスク装置にディスクカートリッジがローディング開始位置まで挿入された状態を示す図である。
【図３５】本発明の一実施例であるディスク装置がディスクカートリッジ内のディスクに対し記録／再生処理を実施している状態を示す図である。
【符号の説明】
１０  ディスク装置
１１  ８ｃｍディスク
１２  １２ｃｍディスク
１３  ディスクカートリッジ
１４  デジタルビデオディスク
２０  ベース
２４  ターンテーブル
２５  ディスクモータ
２６  ピックアップ
２７  ガイドシャフト
２８  第１のディスクレバー駆動カム
２９  第２のディスクレバー駆動カム
３０  ホルダ駆動スライダ
３１  カム板部
３２，３３  斜めカム
４０  ホルダ
４６  垂下部
４７，４８  従動ピン
５７  回動軸
５８  クランパ
５９  クランパホルダ
６０  ディスクレバー
６１  レバー本体部
７０  キャリアユニット
７１  上部半体
７２  右下部半体
７３  左下部半体
７４（７４−１，７４−２，７４−３，７４−４）  クリップディスク
７７  カートリッジレバー
７８  シャッタレバー
１０３，１０４  カートリッジレバー案内溝
１２０  ベースカバー
１３０  前面ベゼル
１３１，１３２  ドア部材
１３３  挿入口
１３５  スリット
１３６，１３７  弾性部材
１４０  ドア部材開閉駆動機構
１４１  ブラケット
１４２  スライド部材
１４３  コイルバネ
１４４  回動部材
１４５  トーションバネ
１５０  ロアベース
１５０ａ  前面アース
１５０ｂ  底板
１５０ｃ，１５０ｄ  側板
１５０ｅ  背板
１５０ｆ  支持部
１５０ｇ  横架部
１５０ｈ，１５０ｉ，１５０ｊ，１５０ｋ，１５０ｍ  開口
１５２  電源スイッチ
１５３  発光ダイオード（ＬＥＤ）
１５４  ボリュームスイッチ
１５５  ヘッドホン用ジャック
【図１】
0003900878.tif 000002
【図２】
0003900878.tif 000003
【図３】
0003900878.tif 000004
【図４】
0003900878.tif 000005
【図５】
0003900878.tif 000006
【図６】
0003900878.tif 000007
【図７】
0003900878.tif 000008
【図８】
0003900878.tif 000009
【図９】
0003900878.tif 000010
【図１０】
0003900878.tif 000011
【図１１】
0003900878.tif 000012
【図１２】
0003900878.tif 000013
【図１３】
0003900878.tif 000014
【図１４】
0003900878.tif 000015
【図１５】
0003900878.tif 000016
【図１６】
0003900878.tif 000017
【図１７】
0003900878.tif 000018
【図１８】
0003900878.tif 000019
【図１９】
0003900878.tif 000020
【図２０】
0003900878.tif 000021
【図２１】
0003900878.tif 000022
【図２２】
0003900878.tif 000023
【図２３】
0003900878.tif 000024
【図２４】
0003900878.tif 000025
【図２５】
0003900878.tif 000026
【図２６】
0003900878.tif 000027
【図２７】
0003900878.tif 000028
【図２８】
0003900878.tif 000029
【図２９】
0003900878.tif 000030
【図３０】
0003900878.tif 000031
【図３１】
0003900878.tif 000032
【図３２】
0003900878.tif 000033
【図３３】
0003900878.tif 000034
【図３４】
0003900878.tif 000035
【図３５】
0003900878.tif 000036